(57)【特許請求の範囲】
【請求項１】
３８０ｎｍ≦λ１≦４５０ｎｍを満足する第１の波長λ１の光を出射する第１の光源と、６００ｎｍ≦λ２≦７００ｎｍを満足する第２の波長λ２の光を出射する第２の光源と、７５０ｎｍ≦λ３≦８５０ｎｍを満足する第３の波長λ３の光を出射する第３の光源と、第１の対物レンズと、第２の対物レンズと、前記第１の対物レンズと前記第２の対物レンズとを保持するレンズホルダと、前記レンズホルダを駆動するアクチュエータと、前記アクチュエータを支持するアクチュエータベースと、を有し、前記第１の対物レンズを介して、前記第１の光源からの光束を、厚さｔ１の保護層を介して第１光情報記録媒体の情報記録面に集光させることによって、情報の記録及び／又は再生を行うことが可能となっており、前記第２の対物レンズを介して、前記第２の光源からの光束を、厚さｔ２（ｔ１≦ｔ２）の保護層を介して第２光情報記録媒体の情報記録面に集光させることによって、情報の記録及び／又は再生を行うことが可能となっており、又、前記第３光源からの光束を、厚さｔ３（ｔ２＜ｔ３）の保護層を介して第３光情報記録媒体の情報記録面に集光させることによって、情報の記録及び／又は再生を行うことが可能となっており、又、前記光情報記録媒体に対して情報の記録及び／又は再生を行う際に、前記光情報記録媒体と前記対物レンズとの相対的な傾きを変更できる相対傾き変更手段を備えた、光情報記録再生装置に搭載される光ピックアップ装置の組立方法であって、
前記相対傾き変更手段は、前記光情報記録媒体と前記対物レンズとの相対的な傾きを変更することにより、前記光情報記録媒体の情報記録面に集光された光束におけるコマ収差を制御できるようになっており、
前記第１の対物レンズは、前記第１の光源のシフトによる光軸の傾きが１度のときに発生するコマ収差が０．０３λｒｍｓ以下である特性を有し、前記第２の対物レンズは、前記第２の光源及び前記第３の光源のシフトによる光軸の傾きが１度のときに発生するコマ収差が０．０３λｒｍｓ以下である特性を有し、
前記第１の対物レンズを介して、前記第１の光源からの光束を第１光情報記録媒体の情報記録面に集光させるようにした時、該集光スポットのコマ収差が軽減するよう、前記アクチュエータベースの傾きを調整するステップと、
前記第２の対物レンズを介して、前記第２の光源からの光束を、前記第２光情報記録媒体の情報記録面に集光させるようにした時、該集光スポットのコマ収差が軽減するよう、前記レンズホルダに対する前記第２の対物レンズの傾きを調整するステップと、を有することを特徴とする光ピックアップ装置の組立方法。
【請求項２】
３８０ｎｍ≦λ１≦４５０ｎｍを満足する第１の波長λ１の光を出射する第１の光源と、６００ｎｍ≦λ２≦７００ｎｍを満足する第２の波長λ２の光を出射する第２の光源と、７５０ｎｍ≦λ３≦８５０ｎｍを満足する第３の波長λ３の光を出射する第３の光源と、第１の対物レンズと、第２の対物レンズと、前記第１の対物レンズと前記第２の対物レンズとを保持するレンズホルダと、前記レンズホルダを駆動するアクチュエータと、前記アクチュエータを支持するアクチュエータベースと、を有し、前記第１の対物レンズを介して、前記第１の光源からの光束を、厚さｔ１の保護層を介して第１光情報記録媒体の情報記録面に集光させることによって、情報の記録及び／又は再生を行うことが可能となっており、前記第２の対物レンズを介して、前記第２の光源からの光束を、厚さｔ２（ｔ１≦ｔ２）の保護層を介して第２光情報記録媒体の情報記録面に集光させることによって、情報の記録及び／又は再生を行うことが可能となっており、又、前記第３光源からの光束を、厚さｔ３（ｔ２＜ｔ３）の保護層を介して第３光情報記録媒体の情報記録面に集光させることによって、情報の記録及び／又は再生を行うことが可能となっており、又、前記光情報記録媒体に対して情報の記録及び／又は再生を行う際に、前記光情報記録媒体と前記対物レンズとの相対的な傾きを変更できる相対傾き変更手段を備えた、光情報記録再生装置に搭載される光ピックアップ装置の組立方法であって、
前記相対傾き変更手段は、前記光情報記録媒体と前記対物レンズとの相対的な傾きを変更することにより、前記光情報記録媒体の情報記録面に集光された光束におけるコマ収差を制御できるようになっており、
前記第１の対物レンズは、前記第１の光源のシフトによる光軸の傾きが１度のときに発生するコマ収差が０．０３λｒｍｓ以下である特性を有し、前記第２の対物レンズは、前記第２の光源のシフトによる光軸の傾きが１度のときに発生するコマ収差が０．０３λｒｍｓ以下である特性を有すると共に、前記第３の光源からの光束が入射した際に前記第２の対物レンズの傾きが１度のときに生じるコマ収差が０．０８λｒｍｓ以下である特性を有し、
前記第１の対物レンズを介して、前記第１の光源からの光束を第１光情報記録媒体の情報記録面に集光させるようにした時、該集光スポットのコマ収差が軽減するよう、前記アクチュエータベースの傾きを調整するステップと、
前記第２の対物レンズを介して、前記第２の光源からの光束を第２光情報記録媒体の情報記録面に集光させるようにした時、該集光スポットのコマ収差が軽減するよう、前記レンズホルダに対する前記第２の対物レンズの傾きを調整するステップと、
前記第２の対物レンズを介して、前記第３の光源からの光束を第３光情報記録媒体の情報記録面に集光させるようにした時、該集光スポットのコマ収差が軽減するよう、前記第３の光源に関してシフト調整処理を行うステップと、を有することを特徴とする光ピックアップ装置の組立方法。
【請求項３】
３８０ｎｍ≦λ１≦４５０ｎｍを満足する第１の波長λ１の光を出射する第１の光源と、６００ｎｍ≦λ２≦７００ｎｍを満足する第２の波長λ２の光を出射する第２の光源と、７５０ｎｍ≦λ３≦８５０ｎｍを満足する第３の波長λ３の光を出射する第３の光源と、第１の対物レンズと、第２の対物レンズと、前記第１の対物レンズと前記第２の対物レンズとを保持するレンズホルダと、前記レンズホルダを駆動するアクチュエータと、前記アクチュエータを支持するアクチュエータベースと、を有し、前記第１の対物レンズを介して、前記第１の光源からの光束を、厚さｔ１の保護層を介して第１光情報記録媒体の情報記録面に集光させることによって、情報の記録及び／又は再生を行うことが可能となっており、前記第２の対物レンズを介して、前記第２の光源からの光束を、厚さｔ２（ｔ１≦ｔ２）の保護層を介して第２光情報記録媒体の情報記録面に集光させることによって、情報の記録及び／又は再生を行うことが可能となっており、又、前記第３光源からの光束を、厚さｔ３（ｔ２＜ｔ３）の保護層を介して第３光情報記録媒体の情報記録面に集光させることによって、情報の記録及び／又は再生を行うことが可能となっており、又、前記光情報記録媒体に対して情報の記録及び／又は再生を行う際に、前記光情報記録媒体と前記対物レンズとの相対的な傾きを変更できる相対傾き変更手段を備えた、光情報記録再生装置に搭載される光ピックアップ装置の組立方法であって、
前記相対傾き変更手段は、前記光情報記録媒体と前記対物レンズとの相対的な傾きを変更することにより、前記光情報記録媒体の情報記録面に集光された光束におけるコマ収差を制御できるようになっており、
前記第１の対物レンズは、前記第１の光源のシフトによる光軸の傾きが１度のときに発生するコマ収差が０．０３λｒｍｓ以下である特性を有し、前記第２の対物レンズは、前記第２の光源からの光束が入射した際に前記第２の対物レンズの傾きが１度のときに生じるコマ収差が０．０８λｒｍｓ以下である特性を有すると共に、前記第３の光源のシフトによる光軸の傾きが１度のときに発生するコマ収差が０．０３λｒｍｓ以下である特性を有し、
前記第１の対物レンズを介して、前記第１の光源からの光束を第１光情報記録媒体の情報記録面に集光させるようにした時、該集光スポットのコマ収差が軽減するよう、前記アクチュエータベースの傾きを調整するステップと、
前記第２の対物レンズを介して、前記第３の光源からの光束を第３光情報記録媒体の情報記録面に集光させるようにした時、該集光スポットのコマ収差が軽減するよう、前記レンズホルダに対する前記第２の対物レンズの傾きを調整するステップと、
前記第２の対物レンズを介して、前記第２の光源からの光束を第２光情報記録媒体の情報記録面に集光させるようにした時、該集光スポットのコマ収差が軽減するよう、前記第２の光源に関してシフト調整処理を行うステップと、を有することを特徴とする光ピックアップ装置の組立方法。
【請求項４】
３８０ｎｍ≦λ１≦４５０ｎｍを満足する第１の波長λ１の光を出射する第１の光源と、６００ｎｍ≦λ２≦７００ｎｍを満足する第２の波長λ２の光を出射する第２の光源と、７５０ｎｍ≦λ３≦８５０ｎｍを満足する第３の波長λ３の光を出射する第３の光源と、第１の対物レンズと、第２の対物レンズと、前記第１の対物レンズと前記第２の対物レンズとを保持するレンズホルダと、前記レンズホルダを駆動するアクチュエータと、前記アクチュエータを支持するアクチュエータベースと、を有し、前記第１の対物レンズを介して、前記第１の光源からの光束を、厚さｔ１の保護層を介して第１光情報記録媒体の情報記録面に集光させることによって、情報の記録及び／又は再生を行うことが可能となっており、前記第２の対物レンズを介して、前記第２の光源からの光束を、厚さｔ２（ｔ１≦ｔ２）の保護層を介して第２光情報記録媒体の情報記録面に集光させることによって、情報の記録及び／又は再生を行うことが可能となっており、又、前記第３光源からの光束を、厚さｔ３（ｔ２＜ｔ３）の保護層を介して第３光情報記録媒体の情報記録面に集光させることによって、情報の記録及び／又は再生を行うことが可能となっており、又、前記光情報記録媒体に対して情報の記録及び／又は再生を行う際に、前記光情報記録媒体と前記対物レンズとの相対的な傾きを変更できる相対傾き変更手段を備えた、光情報記録再生装置に搭載される光ピックアップ装置の組立方法であって、
前記相対傾き変更手段は、前記光情報記録媒体と前記対物レンズとの相対的な傾きを変更することにより、前記光情報記録媒体の情報記録面に集光された光束におけるコマ収差を制御できるようになっており、
前記第１の対物レンズは、前記第１の光源のシフトによる光軸の傾きが１度のときに発生するコマ収差が０．０３λｒｍｓ以下である特性を有し、前記第２の対物レンズは、前記第２の光源からの光束が入射した際に前記第２の対物レンズの傾きが１度のときに生じるコマ収差が０．０８λｒｍｓ以下である特性を有すると共に、前記第３の光源からの光束が入射した際に前記第２の対物レンズの傾きが１度のときに生じるコマ収差が０．０８λｒｍｓ以下である特性を有し、
前記第１の対物レンズを介して、前記第１の光源からの光束を第１光情報記録媒体の情報記録面に集光させるようにした時、該集光スポットのコマ収差が軽減するよう、前記アクチュエータベースの傾きを調整するステップと、
前記第２の対物レンズを介して、前記第２の光源からの光束を第２光情報記録媒体の情報記録面に集光させるようにした時、該集光スポットのコマ収差が軽減するよう、前記第２の光源に関してシフト調整処理を行うステップと、
前記第２の対物レンズを介して、前記第３の光源からの光束を第３光情報記録媒体の情報記録面に集光させるようにした時、該集光スポットのコマ収差が軽減するよう、前記第３の光源に関してシフト調整処理を行うステップと、を有することを特徴とする光ピックアップ装置の組立方法。
【請求項５】
３８０ｎｍ≦λ１≦４５０ｎｍを満足する第１の波長λ１の光を出射する第１の光源と、６００ｎｍ≦λ２≦７００ｎｍを満足する第２の波長λ２の光を出射する第２の光源と、７５０ｎｍ≦λ３≦８５０ｎｍを満足する第３の波長λ３の光を出射する第３の光源と、第１の対物レンズと、第２の対物レンズと、前記第１の対物レンズと前記第２の対物レンズとを保持するレンズホルダと、前記レンズホルダを駆動するアクチュエータと、前記アクチュエータを支持するアクチュエータベースと、を有し、前記第１の対物レンズを介して、前記第１の光源からの光束を、厚さｔ１の保護層を介して第１光情報記録媒体の情報記録面に集光させることによって、情報の記録及び／又は再生を行うことが可能となっており、前記第２の対物レンズを介して、前記第２の光源からの光束を、厚さｔ２（ｔ１≦ｔ２）の保護層を介して第２光情報記録媒体の情報記録面に集光させることによって、情報の記録及び／又は再生を行うことが可能となっており、又、前記第３光源からの光束を、厚さｔ３（ｔ２＜ｔ３）の保護層を介して第３光情報記録媒体の情報記録面に集光させることによって、情報の記録及び／又は再生を行うことが可能となっており、又、前記光情報記録媒体に対して情報の記録及び／又は再生を行う際に、前記光情報記録媒体と前記対物レンズとの相対的な傾きを変更できる相対傾き変更手段を備えた、光情報記録再生装置に搭載される光ピックアップ装置の組立方法であって、
前記相対傾き変更手段は、前記光情報記録媒体と前記対物レンズとの相対的な傾きを変更することにより、前記光情報記録媒体の情報記録面に集光された光束におけるコマ収差を制御できるようになっており、
前記第１の対物レンズは、前記第１の光源からの光束が入射した際に前記第１の対物レンズの傾きが１度のときに生じるコマ収差が０．０８λｒｍｓ以下である特性を有し、前記第２の対物レンズは、前記第２の光源及び前記第３の光源のシフトによる光軸の傾きが１度のときに発生するコマ収差が０．０３λｒｍｓ以下である特性を有し、
前記第２の対物レンズを介して、前記第２の光源からの光束を第２光情報記録媒体の情報記録面に集光させるようにした時、該集光スポットのコマ収差が軽減するよう、前記アクチュエータベースの傾きを調整するステップと、
前記第１の対物レンズを介して、前記第１の光源からの光束を第１光情報記録媒体の情報記録面に集光させるようにした時、該集光スポットのコマ収差が軽減するよう、前記第１の光源に関してシフト調整処理を行うステップと、を有することを特徴とする光ピックアップ装置の組立方法。
【請求項６】
３８０ｎｍ≦λ１≦４５０ｎｍを満足する第１の波長λ１の光を出射する第１の光源と、６００ｎｍ≦λ２≦７００ｎｍを満足する第２の波長λ２の光を出射する第２の光源と、７５０ｎｍ≦λ３≦８５０ｎｍを満足する第３の波長λ３の光を出射する第３の光源と、第１の対物レンズと、第２の対物レンズと、前記第１の対物レンズと前記第２の対物レンズとを保持するレンズホルダと、前記レンズホルダを駆動するアクチュエータと、前記アクチュエータを支持するアクチュエータベースと、を有し、前記第１の対物レンズを介して、前記第１の光源からの光束を、厚さｔ１の保護層を介して第１光情報記録媒体の情報記録面に集光させることによって、情報の記録及び／又は再生を行うことが可能となっており、前記第２の対物レンズを介して、前記第２の光源からの光束を、厚さｔ２（ｔ１≦ｔ２）の保護層を介して第２光情報記録媒体の情報記録面に集光させることによって、情報の記録及び／又は再生を行うことが可能となっており、又、前記第３光源からの光束を、厚さｔ３（ｔ２＜ｔ３）の保護層を介して第３光情報記録媒体の情報記録面に集光させることによって、情報の記録及び／又は再生を行うことが可能となっており、又、前記光情報記録媒体に対して情報の記録及び／又は再生を行う際に、前記光情報記録媒体と前記対物レンズとの相対的な傾きを変更できる相対傾き変更手段を備えた、光情報記録再生装置に搭載される光ピックアップ装置の組立方法であって、
前記相対傾き変更手段は、前記光情報記録媒体と前記対物レンズとの相対的な傾きを変更することにより、前記光情報記録媒体の情報記録面に集光された光束におけるコマ収差を制御できるようになっており、
前記第１の対物レンズは、前記第１の光源からの光束が入射した際に前記第１の対物レンズの傾きが１度のときに生じるコマ収差が０．０８λｒｍｓ以下である特性を有し、前記第２の対物レンズは、前記第２の光源のシフトによる光軸の傾きが１度のときに発生するコマ収差が０．０３λｒｍｓ以下である特性を有すると共に、前記第３の光源からの光束が入射した際に前記第２の対物レンズの傾きが１度のときに生じるコマ収差が０．０８λｒｍｓ以下である特性を有し、
前記第２の対物レンズを介して、前記第２の光源からの光束を第２光情報記録媒体の情報記録面に集光させるようにした時、該集光スポットのコマ収差が軽減するよう、前記アクチュエータベースの傾きを調整するステップと、
前記第１の対物レンズを介して、前記第１の光源からの光束を第１光情報記録媒体の情報記録面に集光させるようにした時、該集光スポットのコマ収差が軽減するよう、前記第１の光源に関してシフト調整処理を行うステップと、
前記第２の対物レンズを介して、前記第３の光源からの光束を第３光情報記録媒体の情報記録面に集光させるようにした時、該集光スポットのコマ収差が軽減するよう、前記第３の光源に関してシフト調整処理を行うステップと、を有することを特徴とする光ピックアップ装置の組立方法。
【請求項７】
３８０ｎｍ≦λ１≦４５０ｎｍを満足する第１の波長λ１の光を出射する第１の光源と、６００ｎｍ≦λ２≦７００ｎｍを満足する第２の波長λ２の光を出射する第２の光源と、７５０ｎｍ≦λ３≦８５０ｎｍを満足する第３の波長λ３の光を出射する第３の光源と、第１の対物レンズと、第２の対物レンズと、前記第１の対物レンズと前記第２の対物レンズとを保持するレンズホルダと、前記レンズホルダを駆動するアクチュエータと、前記アクチュエータを支持するアクチュエータベースと、を有し、前記第１の対物レンズを介して、前記第１の光源からの光束を、厚さｔ１の保護層を介して第１光情報記録媒体の情報記録面に集光させることによって、情報の記録及び／又は再生を行うことが可能となっており、前記第２の対物レンズを介して、前記第２の光源からの光束を、厚さｔ２（ｔ１≦ｔ２）の保護層を介して第２光情報記録媒体の情報記録面に集光させることによって、情報の記録及び／又は再生を行うことが可能となっており、又、前記第３光源からの光束を、厚さｔ３（ｔ２＜ｔ３）の保護層を介して第３光情報記録媒体の情報記録面に集光させることによって、情報の記録及び／又は再生を行うことが可能となっており、又、前記光情報記録媒体に対して情報の記録及び／又は再生を行う際に、前記光情報記録媒体と前記対物レンズとの相対的な傾きを変更できる相対傾き変更手段を備えた、光情報記録再生装置に搭載される光ピックアップ装置の組立方法であって、
前記相対傾き変更手段は、前記光情報記録媒体と前記対物レンズとの相対的な傾きを変更することにより、前記光情報記録媒体の情報記録面に集光された光束におけるコマ収差を制御できるようになっており、
前記第１の対物レンズは、前記第１の光源からの光束が入射した際に前記第１の対物レンズの傾きが１度のときに生じるコマ収差が０．０８λｒｍｓ以下である特性を有し、前記第２の対物レンズは、前記第２の光源からの光束が入射した際に前記第２の対物レンズの傾きが１度のときに生じるコマ収差が０．０８λｒｍｓ以下である特性を有すると共に、前記第３の光源のシフトによる光軸の傾きが１度のときに発生するコマ収差が０．０３λｒｍｓ以下である特性を有し、
前記第２の対物レンズを介して、前記第３の光源からの光束を第３光情報記録媒体の情報記録面に集光させるようにした時、該集光スポットのコマ収差が軽減するよう、前記アクチュエータベースの傾きを調整するステップと、
前記第１の対物レンズを介して、前記第１の光源からの光束を第１光情報記録媒体の情報記録面に集光させるようにした時、該集光スポットのコマ収差が軽減するよう、前記第１の光源に関してシフト調整処理を行うステップと、
前記第２の対物レンズを介して、前記第２の光源からの光束を第２光情報記録媒体の情報記録面に集光させるようにした時、該集光スポットのコマ収差が軽減するよう、前記第２の光源に関してシフト調整処理を行うステップと、を有することを特徴とする光ピックアップ装置の組立方法。
【請求項８】
３８０ｎｍ≦λ１≦４５０ｎｍを満足する第１の波長λ１の光を出射する第１の光源と、６００ｎｍ≦λ２≦７００ｎｍを満足する第２の波長λ２の光を出射する第２の光源と、７５０ｎｍ≦λ３≦８５０ｎｍを満足する第３の波長λ３の光を出射する第３の光源と、第１の対物レンズと、第２の対物レンズと、前記第１の対物レンズと前記第２の対物レンズとを保持するレンズホルダと、前記レンズホルダを駆動するアクチュエータと、前記アクチュエータを支持するアクチュエータベースと、を有し、前記第１の対物レンズを介して、前記第１の光源からの光束を、厚さｔ１の保護層を介して第１光情報記録媒体の情報記録面に集光させることによって、情報の記録及び／又は再生を行うことが可能となっており、前記第２の対物レンズを介して、前記第２の光源からの光束を、厚さｔ２（ｔ１≦ｔ２）の保護層を介して第２光情報記録媒体の情報記録面に集光させることによって、情報の記録及び／又は再生を行うことが可能となっており、又、前記第３光源からの光束を、厚さｔ３（ｔ２＜ｔ３）の保護層を介して第３光情報記録媒体の情報記録面に集光させることによって、情報の記録及び／又は再生を行うことが可能となっており、又、前記光情報記録媒体に対して情報の記録及び／又は再生を行う際に、前記光情報記録媒体と前記対物レンズとの相対的な傾きを変更できる相対傾き変更手段を備えた、光情報記録再生装置に搭載される光ピックアップ装置の組立方法であって、
前記相対傾き変更手段は、前記光情報記録媒体と前記対物レンズとの相対的な傾きを変更することにより、前記光情報記録媒体の情報記録面に集光された光束におけるコマ収差を制御できるようになっており、
前記第１の対物レンズは、前記第１の光源からの光束が入射した際に前記第１の対物レンズの傾きが１度のときに生じるコマ収差が０．０８λｒｍｓ以下である特性を有し、前記第２の対物レンズは、前記第２の光源及び前記第３の光源からの光束が入射した際に前記第２の対物レンズの傾きが１度のときに生じるコマ収差が０．０８λｒｍｓ以下である特性を有し、
前記第１の対物レンズを介して、前記第１の光源からの光束を第１光情報記録媒体の情報記録面に集光させるようにした時、該集光スポットのコマ収差が軽減するよう、前記第１の光源に関してシフト調整処理を行うステップと、
前記第２の対物レンズを介して、前記第２の光源からの光束を第２光情報記録媒体の情報記録面に集光させるようにした時、該集光スポットのコマ収差が軽減するよう、前記第２の光源に関してシフト調整処理を行うステップと、
前記第２の対物レンズを介して、前記第３の光源からの光束を第３光情報記録媒体の情報記録面に集光させるようにした時、該集光スポットのコマ収差が軽減するよう、前記第３の光源に関してシフト調整処理を行うステップと、を有することを特徴とする光ピックアップ装置の組立方法。
【請求項９】
前記シフト調整処理は、調整すべき前記光源を基準光軸直交方向に移動させることで行うことを特徴とする請求項２〜８のいずれか１項に記載の光ピックアップ装置の組立方法。
【請求項１０】
前記第１の光源と前記第２の光源とが同一の筐体内に収容されていることを特徴とする請求項１〜６のいずれか１項に記載の光ピックアップ装置の組立方法。
【請求項１１】
前記第２の光源と前記第３の光源とが同一の筐体内に収容されていることを特徴とする請求項１〜３、５〜７のいずれか１項に記載の光ピックアップ装置の組立方法。
【請求項１２】
前記第１の光源と前記第２の光源とが同一の筐体内に収容されており、前記筐体には、一方の光源からの光束の出射方向を変更する光軸補正素子が位置調整可能に取り付けられており、前記シフト調整処理は、前記光軸補正素子の光軸方向の移動もしくは光軸に垂直な面内における位置移動によって行うことを特徴とする請求項３〜８のいずれか１項に記載の光ピックアップ装置の組立方法。
【請求項１３】
前記第２の光源と前記第３の光源とが同一の筐体内に収容されており、前記筐体には、一方の光源からの光束の出射方向を変更する光軸補正素子が位置調整可能に取り付けられており、前記シフト調整処理は、前記光軸補正素子の光軸方向の移動もしくは光軸に垂直な面内における位置移動によって行うことを特徴とする請求項２〜４、６〜８のいずれか１項に記載の光ピックアップ装置の組立方法。
【請求項１４】
前記光ピックアップ装置は、前記第１〜前記第３光情報記録媒体のうち少なくとも２つの光情報記録媒体の情報記録面から反射した光束の少なくとも一部を分離させる分離手段と、前記反射光を受光する光検出器と、前記分離手段と前記光検出器との間に配置された光軸補正素子とを有することを特徴とする請求項１〜１３のいずれか１項に記載の光ピックアップ装置の組立方法。
【請求項１５】
前記光ピックアップ装置は、光源から出射した光束を記録又は再生用のメインビームと、トラッキングエラー信号検出用のサブビームに分離するための回折格子素子を有し、前記サブビームにおいて光情報記録媒体の情報記録面上での結像スポットの収差は０．０７λｒｍｓ以下であることを特徴とする請求項１〜８のいずれか１項に記載の光ピックアップ装置の組立方法。
【請求項１６】
前記レンズホルダは、前記第１の対物レンズ又は前記第２の対物レンズの主点を略中心とした球面の一部を含む支持部を有することを特徴とする請求項１〜３のいずれか１項に記載の光ピックアップ装置の組立方法。
【請求項１７】
前記レンズホルダに対して、傾き調整をすべき対物レンズを非接触な状態に保持したまま、その傾きを調整した後に、前記レンズホルダと前記傾き調整がされた対物レンズとの間の空間に接着剤を充填して、両者を固定することを特徴とする請求項１〜３のいずれか１項に記載の光ピックアップ装置の組立方法。
【請求項１８】
前記レンズホルダに対して前記第１の対物レンズ又は前記第２の対物レンズの傾きを調整する際に、調整する対物レンズを保持するアームとの干渉を回避するための凹部を前記レンズホルダに形成したことを特徴とする請求項１〜３、１６及び１７のいずれか１項に記載の光ピックアップ装置の組立方法。
【請求項１９】
前記相対傾き変更手段は、前記レンズホルダを傾けることを特徴とする請求項１〜１８のいずれか１項に記載の光ピックアップ装置の組立方法。
【請求項２０】
前記相対傾き変更手段は、前記対物レンズ及び前記光源を含む光学系全体を傾けることを特徴とする請求項１〜１８のいずれか１項に記載の光ピックアップ装置の組立方法。
【請求項２１】
前記光情報記録再生装置は、前記光情報記録媒体を回転駆動するスピンドルモータを備えており、前記相対傾き変更手段は、前記スピンドルモータを傾けることを特徴とする請求項１〜１８のいずれか１項に記載の光ピックアップ装置の組立方法。
【請求項２２】
請求項１〜２１のいずれか１項に記載の光ピックアップ装置の組立方法により組み立てられたことを特徴とする光ピックアップ装置。
【発明の詳細な説明】
【技術分野】
【０００１】
本発明は、光ピックアップ装置の組立方法及びそれにより組み立てられる光ピックアップ装置に関し、特に、複数の対物レンズを有する光ピックアップ装置の組立方法及びそれにより組み立てられる光ピックアップ装置に関する。
【背景技術】
【０００２】
近年、波長４００ｎｍ程度の青紫色半導体レーザを用いて、情報の記録／再生を行える高密度光ディスクシステムの研究・開発が急速に進んでいる。一例として、ＮＡ０．８５、光源波長４０５ｎｍの仕様で情報記録／再生を行う光ディスク（以下、本明細書ではかかる光ディスクを「高密度ＤＶＤ」と呼ぶ）では、ＤＶＤ（ＮＡ０．６、光源波長６５０ｎｍ、記憶容量４、７ＧＢ）と同じ大きさである直径１２ｃｍの光ディスクに対して、１面あたり２０〜３０ＧＢの情報の記録が可能である。【０００３】
ところで、このような高密度ＤＶＤに対して適切に情報を記録／再生できるというだけでは、光ピックアップ装置の製品としての価値は十分なものとはいえない。現在において、多種多様な情報を記録したＤＶＤやＣＤが販売されている現実をふまえると、高密度ＤＶＤに対して適切に情報を記録／再生できるだけでは足らず、例えばユーザーが所有している従来のＤＶＤ或いはＣＤに対しても同様に適切に情報を記録／再生できるようにすることが、互換タイプの光ピックアップ装置として製品の価値を高めることに通じるのである。このような背景から、互換タイプの光ピックアップ装置に用いる集光光学系は、低コストで簡素な構成を有することは勿論であり、それに加えて高密度ＤＶＤ、従来のＤＶＤ、ＣＤいずれに対しても、適切に情報を記録／再生するために所定のスポット光量を確保することが望まれている。このような互換タイプの光ピックアップ装置の例は、例えば以下の特許文献１に記載されている。
【特許文献１】特開２００２−２９８４２２号公報
【発明の開示】
【発明が解決しようとする課題】
【０００４】
しかるに、上記特開２００２−２９８４２２号および特開２００１−６０３３６号においては、単一の対物レンズ（レンズ群）で３波長帯域の光束を、それぞれに対応した光ディスクに対して小さな収差で結像させる設計（トリプル互換方式）となっているため、コスト的には好ましいものの、各々の波長に対する設計マージンが小さく、一般的に設計が難しいという問題がある。また特に、特開２００１−６０３３６号による２枚玉構成の対物レンズを用いたトリプル互換方式では、両対物レンズの軸合わせに高い精度が要求されるという問題、あるいは光軸方向の厚みが大きくなるという問題がある。従って、単一の（１群の）対物レンズによってトリプル互換を達成することは、量産性、サイズの面から不利であるといえる。【０００５】
これに対し、例えば高密度ＤＶＤに対して記録光又は再生光を集光させる対物レンズと、ＤＶＤとＣＤに対して記録光又は再生光を集光させる対物レンズとを別に設け、光ディスクの種類に応じて対物レンズを切り替えることでトリプル互換を実現する光ピックアップ装置も開発されている。しかるに、光ディスクが装填される部位は通常１カ所であるから、光ディスクに応じて、使用する対物レンズを切り替えて用いる必要が生じるが、２つの対物レンズを別に設けることにより、適切な情報の記録及び／又は再生を行うために、個々の対物レンズについて対応する光ディスクの傾き等に対するコマ調整を行わなければならない。例えば、記録及び／又は再生時に、光ディスクと対物レンズの相対的な傾きを変更できる相対傾き変更機構を設ければ、光ピックアップ装置の組立て時に、対物レンズにシフトや傾きが生じていたとしても、ある程度その影響を補正できる。しかしながら、傾角が大きくなると上述の相対傾き変更機構の負担も大きくなるため、対物レンズのシフトや傾きは極力抑えることが好ましい。【０００６】
ここで、２つの対物レンズともにコマ収差の小さいものをレンズホルダを介してアクチュエータに取り付けた上で、光ディスクの傾きに応じてアクチュエータベースを光ディスクに対して角度調整を行い、両対物レンズのコマ収差を抑制することも考えられる。しかし、この手法だと、対物レンズ単体のコマ収差が小さくなければならず、そのような対物レンズの生産が難しいという問題がある。又、２つの対物レンズをレンズホルダを介してアクチュエータに接着する際、両レンズの光軸が光ディスクに対して垂直になるよう調整する方法も考えられるが、この手法の場合、両レンズが有するコマ収差の差を十分補正できず、どちらか一方のコマ調整を優先するか、もしくは中間的なコマ調整を行うしかないという問題もある。更には、３つの異なる波長の光源の、組み立て上の位置ズレに伴うコマ収差を補正することができないなどの問題もある。【０００７】
本発明は、かかる従来技術の問題点に鑑みてなされたものであり、３つの異なる波長の光束と２つの対物レンズとを組み合わせて、３種類の光情報記録媒体に対して情報の記録及び／又は再生を行うことができる光ピックアップ装置を組み立てる際に、組立時の手間を軽減できると共に、適切な情報の記録及び／又は再生を可能とする光ピックアップ装置を得ることができる光ピックアップ装置の組立方法及びそれにより組み立てられる光ピックアップ装置を提供することを目的とする。
【課題を解決するための手段】
【０００８】
本発明の第１の実施の形態に記載の光ピックアップ装置の組立方法は、３８０ｎｍ≦λ１≦４５０ｎｍを満足する第１の波長λ１の光を出射する第１の光源と、６００ｎｍ≦λ２≦７００ｎｍを満足する第２の波長λ２の光を出射する第２の光源と、７５０ｎｍ≦λ３≦８５０ｎｍを満足する第３の波長λ３の光を出射する第３の光源と、第１の対物レンズと、第２の対物レンズと、前記第１の対物レンズと前記第２の対物レンズとを保持するレンズホルダと、前記レンズホルダを駆動するアクチュエータと、前記アクチュエータを支持するアクチュエータベースと、を有し、前記第１の対物レンズを介して、前記第１の光源からの光束を、厚さｔ１の保護層を介して第１光情報記録媒体の情報記録面に集光させることによって、情報の記録及び／又は再生を行うことが可能となっており、前記第２の対物レンズを介して、前記第２の光源からの光束を、厚さｔ２（ｔ１≦ｔ２）の保護層を介して第２光情報記録媒体の情報記録面に集光させることによって、情報の記録及び／又は再生を行うことが可能となっており、又、前記第３光源からの光束を、厚さｔ３（ｔ２＜ｔ３）の保護層を介して第３光情報記録媒体の情報記録面に集光させることによって、情報の記録及び／又は再生を行うことが可能となっており、又、前記光情報記録媒体に対して情報の記録及び／又は再生を行う際に、前記光情報記録媒体と前記対物レンズとの相対的な傾きを変更できる相対傾き変更手段を備えた、光情報記録再生装置に搭載される光ピックアップ装置の組立方法であって、
前記相対傾き変更手段は、前記光情報記録媒体と前記対物レンズとの相対的な傾きを変更することにより、前記光情報記録媒体の情報記録面に集光された光束におけるコマ収差を制御できるようになっており、
前記第１の対物レンズは、前記第１の光源のシフトによる光軸の傾きが１度のときに発生するコマ収差が０．０３λｒｍｓ以下である特性を有し、前記第２の対物レンズは、前記第２の光源及び前記第３の光源のシフトによる光軸の傾きが１度のときに発生するコマ収差が０．０３λｒｍｓ以下である特性を有し、
前記第１の対物レンズを介して、前記第１の光源からの光束を第１光情報記録媒体の情報記録面に集光させるようにした時、該集光スポットのコマ収差が軽減するよう、前記アクチュエータベースの傾きを調整するステップと、
前記第２の対物レンズを介して、前記第２の光源からの光束を、前記第２光情報記録媒体の情報記録面に集光させるようにした時、該集光スポットのコマ収差が軽減するよう、前記レンズホルダに対する前記第２の対物レンズの傾きを調整するステップと、を有することを特徴とする。
【０００９】
まず、「像高優先設計」及び「傾角優先設計」について説明する。像高優先設計とは、球面収差と正弦条件が補正された設計をいう。図１（ａ）、（ｂ）は、光源ＬＤと、対物レンズＯＢＪと、光ディスクＯＤからなる系を示す概略図である。本来的には、図１（ａ）の点線の光源ＬＤと実線の対物レンズＯＢＪ、或いは図１（ｂ）の実線の光源ＬＤと点線の対物レンズＯＢＪの関係のように、光ディスクＯＤの法線と対物レンズＯＢＪの光軸が一致し、これらを含む直線Ｌ上に光源ＬＤがあるような配置（理想配置）が好ましい。この理想配置に対して、図１（ａ）に示すように光源ＬＤが直線Ｌに対して光軸直交方向にシフトすると、光ディスクＯＤの情報記録面に結像されるスポットＡにコマ収差が発生する。一方、理想配置に対して、図１（ｂ）に示すように対物レンズＯＢＪが直線Ｌに対して角度θ傾く（チルトする）と、光ディスクＯＤの情報記録面に結像されるスポットＢにコマ収差が発生する。【００１０】
ここで、対物レンズが像高優先設計の場合、コマ収差は光源のシフトによって発生する対物レンズの入射角にあまり依存せず、小さな値を維持する一方で、対物レンズのチルト角に対する依存性は大きくなる。これに対し、対物レンズが傾角優先設計の場合、像高優先設計に比べレンズチルト角によるコマ収差発生量は大幅に軽減されるが、一方で対物レンズの入射角に対する依存性が高くなる。【００１１】
図１（ｃ）、（ｅ）は像高優先設計を行った対物レンズの３次コマ収差特性を示す図である。図から明らかなように、像高優先設計の場合には、光源が光ピックアップ装置の光軸に対してシフトしても、コマ収差は殆ど変わらないのに対し、光ディスク又は対物レンズが傾いた場合には、コマ収差が顕著に増加する。【００１２】
これに対し、傾角優先設計とは、球面収差は補正されたまま、正弦条件が補正されない設計をいう。即ち像高優先設計とは逆であり、図１（ｂ）に示すように、対物レンズＯＢＪがチルト（傾き）を起こすことによって、光ディスクＯＤの情報記録面に結像されるスポットＢにコマ収差が生じた場合、傾角に対するそのコマ収差量は比較的小さく抑えられるが、図１（ａ）に示すように、光源ＬＤが直線Ｌに対して光軸直交方向にシフトしたときに、光ディスクＯＤの情報記録面に結像されるスポットＡにコマ収差が生じた場合、シフト量に対するそのコマ収差量は比較的大きくなるという特性を有する。【００１３】
図１（ｄ）は傾角優先設計を行った対物レンズの３次コマ収差特性を示す図である。図から明らかなように、対物レンズが傾角優先設計の場合には、像高優先設計に比べレンズチルト角によるコマ収差発生量は大幅に軽減されるが、一方で対物レンズの入射角に対する依存性が高くなることがわかる。【００１４】
本明細書では、“像高優先設計”とは対物レンズへの入射角が１度のときに生じるコマ収差が０．０３λｒｍｓ以下の対物レンズを像高優先設計で設計された対物レンズと定義し、それ以外の対物レンズは傾角優先設計で設計された対物レンズと定義する。【００１５】
本明細書では、“像高優先設計”とは対物レンズへの入射角が１度のときに生じるコマ収差が０．０３λｒｍｓ以下の対物レンズを像高優先設計で設計された対物レンズと定義し、それ以外の対物レンズは傾角優先設計で設計された対物レンズと定義する。【００１６】
以下に、対物レンズの具体的設計例を示す。λは光源波長であり、ＮＡは開口数であり、ｔは光情報記録媒体の保護層の厚さである。（ａ−１）λ＝４０５±１５ｎｍ，ＮＡ＝０．８５±０．０５、ｔ＝０．１±０．０３ｍｍ  （ａ−２）λ＝４０５±１５ｎｍ，ＮＡ＝０．６５±０．０５、ｔ＝０．６±０．０５ｍｍ  （ｂ）λ＝６５５±１５ｎｍ，ＮＡ＝０．６５±０．０５、ｔ＝０．６±０．１ｍｍ  （ｃ）λ＝７８０±１５ｎｍ，ＮＡ＝０．５０±０．０５、ｔ＝１．２±０．１ｍｍ  
上記（ａ−１）、（ａ−２）、（ｂ）、（ｃ）の各範囲内における光学設計で、像高優先設計の場合、対物レンズへの入射角が１度のときに生じるコマ収差が０．０３λｒｍｓ以下である。一方、上記（ａ−１）、（ａ−２）、（ｂ）の各範囲内における光学設計で、傾角優先設計の場合、対物レンズチルトが１度発生したときに生じるコマ収差が０．０８λｒｍｓ以下であり、上記（ｃ）の範囲内における光学設計で、傾角優先設計の場合、対物レンズチルトが１度発生したときに生じるコマ収差が０．０４λｒｍｓ以下である。【００１７】
本発明は、これらの設計手法により形成された対物レンズの特性を利用して、最適な組立を達成するものである。なお、調整時における結像スポットのコマ収差の検出については、対物レンズより出射した光を、各光源に対応する情報記録媒体の対物レンズ側の保護膜に相当するガラス又は樹脂基板を介して、その結像スポットを拡大光学系によって観察すれば良いが、この方法に限定するものではない。【００１８】
本発明の第1の実施の形態に記載の光ピックアップ装置の組立方法においては、前記第１の対物レンズは、前記第１の光源からの光束に対して像高優先設計がなされており、前記第２の対物レンズは、前記第２の光源及び前記第３の光源からの光束に対して像高優先設計がなされており、従って各対物レンズは、コマ収差を所定値以内に抑えるに当たって、光源のシフトによる入射光束の傾きに対しコマ調整感度が低い。一方、その対物レンズのチルトに対してはコマ調整感度が高いので、各対物レンズの傾きを精度良く調整することで、いずれの光源からの光束を用いても光情報記録媒体の情報記録面に集光されたスポットにおいてコマ収差を抑えることができ、それにより適切な情報の記録及び／又は再生を行うことができる。又、光情報記録媒体の反りなどに起因して生ずるコマ収差や、部品精度や組立精度の限界により残った誤差に起因して生じるコマ収差は、前記相対傾き変更手段を利用してより小さく抑えることができる。【００１９】
尚、本明細書中に述べる光ピックアップ装置の組立方法では、対物レンズの傾き調整（アクチュエータベース又はレンズホルダごとの傾き調整を含む）、又は光源のシフト調整処理の前に、第１の光源、第２の光源、第３の光源からの光束の軸線と、第１の対物レンズ、及び第２の対物レンズの光軸を、光ピックアップ装置の基準光軸に対して、それぞれ１度以内の傾きに収まるように調整しておけば、対物レンズの傾き調整又は光源のシフト調整処理を短時間で精度良く行うことができるので好ましい。ここで、光ピックアップ装置の基準光軸とは、光ピックアップ装置の集光光学系の基準光軸を指し、実際の設計時又は組立時には、コースアクチュエータの移動用レールなどを基準光軸として用いる場合がある。【００２０】
図１１は、光ピックアップ装置の一例を上面から見た図であり、例えば特開平６−２１５３８４号に開示されているものと同じである。光ディスクＯＤを駆動するスピンドルモータＳＭを搭載したドライブベースＢの中央に、シークベースＳＢが配置され、シークベースＳＢの片側に移動用レールＲＡＩＬが配置されている。このレールＲＡＩＬは、一対のコイル群ＣＯＩＬ内を延在しており、これにガイドされるようにして、コースアクチュエータＣＡが光ディスクＯＤの半径方向に移動可能に配置されている。コースアクチュエータＣＡは、レンズホルダＨＤを駆動するアクチュエータベースＡＣＴＢを支持している。【００２１】
本発明の第２の実施の形態に記載の光ピックアップ装置の組立方法は、３８０ｎｍ≦λ１≦４５０ｎｍを満足する第１の波長λ１の光を出射する第１の光源と、６００ｎｍ≦λ２≦７００ｎｍを満足する第２の波長λ２の光を出射する第２の光源と、７５０ｎｍ≦λ３≦８５０ｎｍを満足する第３の波長λ３の光を出射する第３の光源と、第１の対物レンズと、第２の対物レンズと、前記第１の対物レンズと前記第２の対物レンズとを保持するレンズホルダと、前記レンズホルダを駆動するアクチュエータと、前記アクチュエータを支持するアクチュエータベースと、を有し、前記第１の対物レンズを介して、前記第１の光源からの光束を、厚さｔ１の保護層を介して第１光情報記録媒体の情報記録面に集光させることによって、情報の記録及び／又は再生を行うことが可能となっており、前記第２の対物レンズを介して、前記第２の光源からの光束を、厚さｔ２（ｔ１≦ｔ２）の保護層を介して第２光情報記録媒体の情報記録面に集光させることによって、情報の記録及び／又は再生を行うことが可能となっており、又、前記第３光源からの光束を、厚さｔ３（ｔ２＜ｔ３）の保護層を介して第３光情報記録媒体の情報記録面に集光させることによって、情報の記録及び／又は再生を行うことが可能となっており、又、前記光情報記録媒体に対して情報の記録及び／又は再生を行う際に、前記光情報記録媒体と前記対物レンズとの相対的な傾きを変更できる相対傾き変更手段を備えた、光情報記録再生装置に搭載される光ピックアップ装置の組立方法であって、
前記相対傾き変更手段は、前記光情報記録媒体と前記対物レンズとの相対的な傾きを変更することにより、前記光情報記録媒体の情報記録面に集光された光束におけるコマ収差を制御できるようになっており、
前記第１の対物レンズは、前記第１の光源のシフトによる光軸の傾きが１度のときに発生するコマ収差が０．０３λｒｍｓ以下である特性を有し、前記第２の対物レンズは、前記第２の光源のシフトによる光軸の傾きが１度のときに発生するコマ収差が０．０３λｒｍｓ以下である特性を有すると共に、前記第３の光源からの光束が入射した際に前記第２の対物レンズの傾きが１度のときに生じるコマ収差が０．０８λｒｍｓ以下である特性を有し、
前記第１の対物レンズを介して、前記第１の光源からの光束を第１光情報記録媒体の情報記録面に集光させるようにした時、該集光スポットのコマ収差が軽減するよう、前記アクチュエータベースの傾きを調整するステップと、
前記第２の対物レンズを介して、前記第２の光源からの光束を第２光情報記録媒体の情報記録面に集光させるようにした時、該集光スポットのコマ収差が軽減するよう、前記レンズホルダに対する前記第２の対物レンズの傾きを調整するステップと、
前記第２の対物レンズを介して、前記第３の光源からの光束を第３光情報記録媒体の情報記録面に集光させるようにした時、該集光スポットのコマ収差が軽減するよう、前記第３の光源に関してシフト調整処理を行うステップと、を有することを特徴とする。
【００２２】
本発明の光ピックアップ装置の組立方法によれば、前記第１の対物レンズは、前記第１の光源からの光束に対して像高優先設計がなされており、前記第２の対物レンズは、前記第２の光源からの光束に対して像高優先設計がなされているので、前記第１の対物レンズは、コマ収差を所定値以内に抑えるに当たって、第１の光源のシフトによる入射光束の傾きに対しコマ調整感度が低い。一方、その対物レンズのチルトに対してはコマ調整感度が高い。又、前記第２の対物レンズは、コマ収差を所定値以内に抑えるに当たって、第２の光源のシフトによる入射光束の傾きに対しコマ調整感度が低い。一方、その対物レンズのチルトに対してはコマ調整感度が高い。そこで、前記第１の光源からの光束を使用する際における前記第１の対物レンズの傾きと、前記第２の光源からの光束を使用する際における前記第２の対物レンズの傾きとを精度良く調整することで、いずれの光源からの光束を用いても光情報記録媒体の情報記録面に集光されたスポットにおいてコマ収差を抑えることができ、それにより適切な情報の記録及び／又は再生を行うことができる。更に、前記第２の対物レンズは、前記第３の光源からの光束に対して傾角優先設計がなされているので、前記第３の光源からの光束の光軸と、前記第２の対物レンズの光軸とのシフト量を抑えるように前記第３の光源の位置を調整すれば、前記第３の光源からの光束を用いても第３光情報記録媒体の情報記録面に集光されたスポットにおいてコマ収差を抑えることもできる。又、光情報記録媒体の反りなどに起因して生ずるコマ収差や、部品精度や組立精度の限界により残った誤差に起因して生じるコマ収差は、前記相対傾き変更手段を利用してより小さく抑えることができる。【００２３】
本発明の第３の実施の形態に記載の光ピックアップ装置の組立方法であって、３８０ｎｍ≦λ１≦４５０ｎｍを満足する第１の波長λ１の光を出射する第１の光源と、６００ｎｍ≦λ２≦７００ｎｍを満足する第２の波長λ２の光を出射する第２の光源と、７５０ｎｍ≦λ３≦８５０ｎｍを満足する第３の波長λ３の光を出射する第３の光源と、第１の対物レンズと、第２の対物レンズと、前記第１の対物レンズと前記第２の対物レンズとを保持するレンズホルダと、前記レンズホルダを駆動するアクチュエータと、前記アクチュエータを支持するアクチュエータベースと、を有し、前記第１の対物レンズを介して、前記第１の光源からの光束を、厚さｔ１の保護層を介して第１光情報記録媒体の情報記録面に集光させることによって、情報の記録及び／又は再生を行うことが可能となっており、前記第２の対物レンズを介して、前記第２の光源からの光束を、厚さｔ２（ｔ１≦ｔ２）の保護層を介して第２光情報記録媒体の情報記録面に集光させることによって、情報の記録及び／又は再生を行うことが可能となっており、又、前記第３光源からの光束を、厚さｔ３（ｔ２＜ｔ３）の保護層を介して第３光情報記録媒体の情報記録面に集光させることによって、情報の記録及び／又は再生を行うことが可能となっており、又、前記光情報記録媒体に対して情報の記録及び／又は再生を行う際に、前記光情報記録媒体と前記対物レンズとの相対的な傾きを変更できる相対傾き変更手段を備えた、光情報記録再生装置に搭載される光ピックアップ装置の組立方法であって、
前記相対傾き変更手段は、前記光情報記録媒体と前記対物レンズとの相対的な傾きを変更することにより、前記光情報記録媒体の情報記録面に集光された光束におけるコマ収差を制御できるようになっており、
前記第１の対物レンズは、前記第１の光源のシフトによる光軸の傾きが１度のときに発生するコマ収差が０．０３λｒｍｓ以下である特性を有し、前記第２の対物レンズは、前記第２の光源からの光束が入射した際に前記第２の対物レンズの傾きが１度のときに生じるコマ収差が０．０８λｒｍｓ以下である特性を有すると共に、前記第３の光源のシフトによる光軸の傾きが１度のときに発生するコマ収差が０．０３λｒｍｓ以下である特性を有し、
前記第１の対物レンズを介して、前記第１の光源からの光束を第１光情報記録媒体の情報記録面に集光させるようにした時、該集光スポットのコマ収差が軽減するよう、前記アクチュエータベースの傾きを調整するステップと、
前記第２の対物レンズを介して、前記第３の光源からの光束を第３光情報記録媒体の情報記録面に集光させるようにした時、該集光スポットのコマ収差が軽減するよう、前記レンズホルダに対する前記第２の対物レンズの傾きを調整するステップと、
前記第２の対物レンズを介して、前記第２の光源からの光束を第２光情報記録媒体の情報記録面に集光させるようにした時、該集光スポットのコマ収差が軽減するよう、前記第２の光源に関してシフト調整処理を行うステップと、を有することを特徴とする。
【００２４】
本発明の光ピックアップ装置の組立方法によれば、前記第１の対物レンズは、前記第１の光源からの光束に対して像高優先設計がなされており、前記第２の対物レンズは、前記第３の光源からの光束に対して像高優先設計がなされているので、前記第１の対物レンズは、コマ収差を所定値以内に抑えるに当たって、第１の光源のシフトによる入射光束の傾きに対しコマ調整感度が低い。一方、その対物レンズのチルトに対してはコマ調整感度が高い。又、前記第２の対物レンズは、コマ収差を所定値以内に抑えるに当たって、第３の光源のシフトによる入射光束の傾きに対しコマ調整感度が低い。一方、その対物レンズのチルトに対してはコマ調整感度が高い。そこで、前記第１の光源からの光束を使用する際における前記第１の対物レンズの傾きと、前記第３の光源からの光束を使用する際における前記第２の対物レンズの傾きとを精度良く調整することで、いずれの光源からの光束を用いても光情報記録媒体の情報記録面に集光されたスポットにおいてコマ収差を抑えることができ、それにより適切な情報の記録及び／又は再生を行うことができる。更に、前記第２の対物レンズは、前記第２の光源からの光束に対して傾角優先設計がなされているので、前記第２の光源からの光束の光軸と、前記第２の対物レンズの光軸とのシフト量を抑えるように前記第２の光源の位置を調整すれば、前記第２の光源からの光束を用いても第２光情報記録媒体の情報記録面に集光されたスポットにおいてコマ収差を抑えることもできる。又、光情報記録媒体の反りなどに起因して生ずるコマ収差や、部品精度や組立精度の限界により残った誤差に起因して生じるコマ収差は、前記相対傾き変更手段を利用してより小さく抑えることができる。【００２５】
本発明の第４の実施の形態に記載の光ピックアップ装置の組立方法は、３８０ｎｍ≦λ１≦４５０ｎｍを満足する第１の波長λ１の光を出射する第１の光源と、６００ｎｍ≦λ２≦７００ｎｍを満足する第２の波長λ２の光を出射する第２の光源と、７５０ｎｍ≦λ３≦８５０ｎｍを満足する第３の波長λ３の光を出射する第３の光源と、第１の対物レンズと、第２の対物レンズと、前記第１の対物レンズと前記第２の対物レンズとを保持するレンズホルダと、前記レンズホルダを駆動するアクチュエータと、前記アクチュエータを支持するアクチュエータベースと、を有し、前記第１の対物レンズを介して、前記第１の光源からの光束を、厚さｔ１の保護層を介して第１光情報記録媒体の情報記録面に集光させることによって、情報の記録及び／又は再生を行うことが可能となっており、前記第２の対物レンズを介して、前記第２の光源からの光束を、厚さｔ２（ｔ１≦ｔ２）の保護層を介して第２光情報記録媒体の情報記録面に集光させることによって、情報の記録及び／又は再生を行うことが可能となっており、又、前記第３光源からの光束を、厚さｔ３（ｔ２＜ｔ３）の保護層を介して第３光情報記録媒体の情報記録面に集光させることによって、情報の記録及び／又は再生を行うことが可能となっており、又、前記光情報記録媒体に対して情報の記録及び／又は再生を行う際に、前記光情報記録媒体と前記対物レンズとの相対的な傾きを変更できる相対傾き変更手段を備えた、光情報記録再生装置に搭載される光ピックアップ装置の組立方法であって、
前記相対傾き変更手段は、前記光情報記録媒体と前記対物レンズとの相対的な傾きを変更することにより、前記光情報記録媒体の情報記録面に集光された光束におけるコマ収差を制御できるようになっており、
前記第１の対物レンズは、前記第１の光源のシフトによる光軸の傾きが１度のときに発生するコマ収差が０．０３λｒｍｓ以下である特性を有し、前記第２の対物レンズは、前記第２の光源からの光束が入射した際に前記第２の対物レンズの傾きが１度のときに生じるコマ収差が０．０８λｒｍｓ以下である特性を有すると共に、前記第３の光源からの光束が入射した際に前記第２の対物レンズの傾きが１度のときに生じるコマ収差が０．０８λｒｍｓ以下である特性を有し、
前記第１の対物レンズを介して、前記第１の光源からの光束を第１光情報記録媒体の情報記録面に集光させるようにした時、該集光スポットのコマ収差が軽減するよう、前記アクチュエータベースの傾きを調整するステップと、
前記第２の対物レンズを介して、前記第２の光源からの光束を第２光情報記録媒体の情報記録面に集光させるようにした時、該集光スポットのコマ収差が軽減するよう、前記第２の光源に関してシフト調整処理を行うステップと、
前記第２の対物レンズを介して、前記第３の光源からの光束を第３光情報記録媒体の情報記録面に集光させるようにした時、該集光スポットのコマ収差が軽減するよう、前記第３の光源に関してシフト調整処理を行うステップと、を有することを特徴とする。
【００２６】
本発明の光ピックアップ装置の組立方法によれば、前記第１の対物レンズは、前記第１の光源からの光束に対して像高優先設計がなされているので、前記第１の対物レンズは、コマ収差を所定値以内に抑えるに当たって、第１の光源のシフトによる入射光束の傾きに対しコマ調整感度が低い。一方、その対物レンズのチルトに対してはコマ調整感度が高いので、前記第１の光源からの光束を使用する際における前記第１の対物レンズの傾きを精度良く調整することで、前記第１の光源からの光束を用いても前記第１光情報記録媒体の情報記録面に集光されたスポットにおいてコマ収差を抑えることができ、それにより適切な情報の記録及び／又は再生を行うことができる。更に、前記第２の対物レンズは、前記第２の光源からの光束に対して傾角優先設計がなされており、又、前記第３の光源からの光束に対して傾角優先設計がなされているので、前記第２の光源からの光束の光軸と、前記第２の対物レンズの光軸とのシフト量を抑え、且つ前記第３の光源からの光束の光軸と、前記第２の対物レンズの光軸とのシフト量を抑えるように前記第２の光源及び前記第３の光源の位置を調整すれば、前記第２の光源からの光束を用いても第２光情報記録媒体の情報記録面に集光されたスポットにおいてコマ収差を抑えることもでき、更に前記第３の光源からの光束を用いても第３光情報記録媒体の情報記録面に集光されたスポットにおいてコマ収差を抑えることもできる。又、光情報記録媒体の反りなどに起因して生ずるコマ収差や、部品精度や組立精度の限界により残った誤差に起因して生じるコマ収差は、前記相対傾き変更手段を利用してより小さく抑えることができる。尚、第２の光源のシフト調整処理と、第３の光源のシフト調整処理とは、互いに光学的に独立した調整であるため、いずれを先に行っても良い。【００２７】
本発明の第５の実施の形態に記載の光ピックアップ装置の組立方法は、３８０ｎｍ≦λ１≦４５０ｎｍを満足する第１の波長λ１の光を出射する第１の光源と、６００ｎｍ≦λ２≦７００ｎｍを満足する第２の波長λ２の光を出射する第２の光源と、７５０ｎｍ≦λ３≦８５０ｎｍを満足する第３の波長λ３の光を出射する第３の光源と、第１の対物レンズと、第２の対物レンズと、前記第１の対物レンズと前記第２の対物レンズとを保持するレンズホルダと、前記レンズホルダを駆動するアクチュエータと、前記アクチュエータを支持するアクチュエータベースと、を有し、前記第１の対物レンズを介して、前記第１の光源からの光束を、厚さｔ１の保護層を介して第１光情報記録媒体の情報記録面に集光させることによって、情報の記録及び／又は再生を行うことが可能となっており、前記第２の対物レンズを介して、前記第２の光源からの光束を、厚さｔ２（ｔ１≦ｔ２）の保護層を介して第２光情報記録媒体の情報記録面に集光させることによって、情報の記録及び／又は再生を行うことが可能となっており、又、前記第３光源からの光束を、厚さｔ３（ｔ２＜ｔ３）の保護層を介して第３光情報記録媒体の情報記録面に集光させることによって、情報の記録及び／又は再生を行うことが可能となっており、又、前記光情報記録媒体に対して情報の記録及び／又は再生を行う際に、前記光情報記録媒体と前記対物レンズとの相対的な傾きを変更できる相対傾き変更手段を備えた、光情報記録再生装置に搭載される光ピックアップ装置の組立方法であって、
前記相対傾き変更手段は、前記光情報記録媒体と前記対物レンズとの相対的な傾きを変更することにより、前記光情報記録媒体の情報記録面に集光された光束におけるコマ収差を制御できるようになっており、
前記第１の対物レンズは、前記第１の光源からの光束が入射した際に前記第１の対物レンズの傾きが１度のときに生じるコマ収差が０．０８λｒｍｓ以下である特性を有し、前記第２の対物レンズは、前記第２の光源及び前記第３の光源のシフトによる光軸の傾きが１度のときに発生するコマ収差が０．０３λｒｍｓ以下である特性を有し、
前記第２の対物レンズを介して、前記第２の光源からの光束を第２光情報記録媒体の情報記録面に集光させるようにした時、該集光スポットのコマ収差が軽減するよう、前記アクチュエータベースの傾きを調整するステップと、
前記第１の対物レンズを介して、前記第１の光源からの光束を第１光情報記録媒体の情報記録面に集光させるようにした時、該集光スポットのコマ収差が軽減するよう、前記第１の光源に関してシフト調整処理を行うステップと、を有することを特徴とする。
【００２８】
本発明の光ピックアップ装置の組立方法によれば、前記第２の対物レンズは、前記第２の光源からの光束に対して像高優先設計がなされており、前記第２の対物レンズは、コマ収差を所定値以内に抑えるに当たって、第２の光源のシフトによる入射光束の傾きに対しコマ調整感度が低い。一方、その対物レンズのチルトに対してはコマ調整感度が高いので、前記第２の光源からの光束を使用する際における前記第２の対物レンズの傾きを精度良く調整することで、前記第２の光源からの光束を用いても前記第２光情報記録媒体の情報記録面に集光されたスポットにおいてコマ収差を抑えることができ、それにより適切な情報の記録及び／又は再生を行うことができる。更に、前記第１の対物レンズは、前記第１の光源からの光束に対して傾角優先設計がなされているので、前記第１の光源からの光束の光軸と、前記第１の対物レンズの光軸とのシフト量を抑えるように前記第１の光源の位置を調整すれば、前記第１の光源からの光束を用いても第１光情報記録媒体の情報記録面に集光されたスポットにおいてコマ収差を抑えることもでき、それにより適切な情報の記録及び／又は再生を行うことができる。又、光情報記録媒体の反りなどに起因して生ずるコマ収差や、部品精度や組立精度の限界により残った誤差に起因して生じるコマ収差は、前記相対傾き変更手段を利用してより小さく抑えることができる。【００２９】
本発明の第６の実施の形態に記載の光ピックアップ装置の組立方法は、３８０ｎｍ≦λ１≦４５０ｎｍを満足する第１の波長λ１の光を出射する第１の光源と、６００ｎｍ≦λ２≦７００ｎｍを満足する第２の波長λ２の光を出射する第２の光源と、７５０ｎｍ≦λ３≦８５０ｎｍを満足する第３の波長λ３の光を出射する第３の光源と、第１の対物レンズと、第２の対物レンズと、前記第１の対物レンズと前記第２の対物レンズとを保持するレンズホルダと、前記レンズホルダを駆動するアクチュエータと、前記アクチュエータを支持するアクチュエータベースと、を有し、前記第１の対物レンズを介して、前記第１の光源からの光束を、厚さｔ１の保護層を介して第１光情報記録媒体の情報記録面に集光させることによって、情報の記録及び／又は再生を行うことが可能となっており、前記第２の対物レンズを介して、前記第２の光源からの光束を、厚さｔ２（ｔ１≦ｔ２）の保護層を介して第２光情報記録媒体の情報記録面に集光させることによって、情報の記録及び／又は再生を行うことが可能となっており、又、前記第３光源からの光束を、厚さｔ３（ｔ２＜ｔ３）の保護層を介して第３光情報記録媒体の情報記録面に集光させることによって、情報の記録及び／又は再生を行うことが可能となっており、又、前記光情報記録媒体に対して情報の記録及び／又は再生を行う際に、前記光情報記録媒体と前記対物レンズとの相対的な傾きを変更できる相対傾き変更手段を備えた、光情報記録再生装置に搭載される光ピックアップ装置の組立方法であって、
前記相対傾き変更手段は、前記光情報記録媒体と前記対物レンズとの相対的な傾きを変更することにより、前記光情報記録媒体の情報記録面に集光された光束におけるコマ収差を制御できるようになっており、
前記第１の対物レンズは、前記第１の光源からの光束が入射した際に前記第１の対物レンズの傾きが１度のときに生じるコマ収差が０．０８λｒｍｓ以下である特性を有し、前記第２の対物レンズは、前記第２の光源のシフトによる光軸の傾きが１度のときに発生するコマ収差が０．０３λｒｍｓ以下である特性を有すると共に、前記第３の光源からの光束が入射した際に前記第２の対物レンズの傾きが１度のときに生じるコマ収差が０．０８λｒｍｓ以下である特性を有し、
前記第２の対物レンズを介して、前記第２の光源からの光束を第２光情報記録媒体の情報記録面に集光させるようにした時、該集光スポットのコマ収差が軽減するよう、前記アクチュエータベースの傾きを調整するステップと、
前記第１の対物レンズを介して、前記第１の光源からの光束を第１光情報記録媒体の情報記録面に集光させるようにした時、該集光スポットのコマ収差が軽減するよう、前記第
１の光源に関してシフト調整処理を行うステップと、
前記第２の対物レンズを介して、前記第３の光源からの光束を第３光情報記録媒体の情報記録面に集光させるようにした時、該集光スポットのコマ収差が軽減するよう、前記第３の光源に関してシフト調整処理を行うステップと、を有することを特徴とする。
【００３０】
本発明の光ピックアップ装置の組立方法によれば、前記第２の対物レンズは、前記第２の光源からの光束に対して像高優先設計がなされているので、前記第２の対物レンズは、コマ収差を所定値以内に抑えるに当たって、第２の光源のシフトによる入射光束の傾きに対しコマ調整感度が低い。一方、その対物レンズのチルトに対してはコマ調整感度が高いので、前記第２の光源からの光束を使用する際における前記第２の対物レンズの傾きを精度良く調整することで、前記第２の光源からの光束を用いても前記第２光情報記録媒体の情報記録面に集光されたスポットにおいてコマ収差を抑えることができ、それにより適切な情報の記録及び／又は再生を行うことができる。更に、前記第１の対物レンズは、前記第１の光源からの光束に対して傾角優先設計がなされており、前記第２の対物レンズは、前記第３の光源からの光束に対して傾角優先設計がなされているので、前記第１の光源からの光束の光軸と、前記第１の対物レンズの光軸とのシフト量を抑え、且つ前記第３の光源からの光束の光軸と、前記第２の対物レンズの光軸とのシフト量を抑えるように前記第１の光源及び第３の光源の位置を調整すれば、前記第１の光源からの光束を用いても第１光情報記録媒体の情報記録面に集光されたスポットにおいてコマ収差を抑えることもでき、更に前記第３の光源からの光束を用いても第３光情報記録媒体の情報記録面に集光されたスポットにおいてコマ収差を抑えることもできる。又、光情報記録媒体の反りなどに起因して生ずるコマ収差や、部品精度や組立精度の限界により残った誤差に起因して生じるコマ収差は、前記相対傾き変更手段を利用してより小さく抑えることができる。尚、第１の光源のシフト調整処理と、第３の光源のシフト調整処理とは、互いに光学的に独立した調整であるため、いずれを先に行っても良い。【００３１】
本発明の第７の実施の形態に記載の光ピックアップ装置の組立方法は、３８０ｎｍ≦λ１≦４５０ｎｍを満足する第１の波長λ１の光を出射する第１の光源と、６００ｎｍ≦λ２≦７００ｎｍを満足する第２の波長λ２の光を出射する第２の光源と、７５０ｎｍ≦λ３≦８５０ｎｍを満足する第３の波長λ３の光を出射する第３の光源と、第１の対物レンズと、第２の対物レンズと、前記第１の対物レンズと前記第２の対物レンズとを保持するレンズホルダと、前記レンズホルダを駆動するアクチュエータと、前記アクチュエータを支持するアクチュエータベースと、を有し、前記第１の対物レンズを介して、前記第１の光源からの光束を、厚さｔ１の保護層を介して第１光情報記録媒体の情報記録面に集光させることによって、情報の記録及び／又は再生を行うことが可能となっており、前記第２の対物レンズを介して、前記第２の光源からの光束を、厚さｔ２（ｔ１≦ｔ２）の保護層を介して第２光情報記録媒体の情報記録面に集光させることによって、情報の記録及び／又は再生を行うことが可能となっており、又、前記第３光源からの光束を、厚さｔ３（ｔ２＜ｔ３）の保護層を介して第３光情報記録媒体の情報記録面に集光させることによって、情報の記録及び／又は再生を行うことが可能となっており、又、前記光情報記録媒体に対して情報の記録及び／又は再生を行う際に、前記光情報記録媒体と前記対物レンズとの相対的な傾きを変更できる相対傾き変更手段を備えた、光情報記録再生装置に搭載される光ピックアップ装置の組立方法であって、
前記相対傾き変更手段は、前記光情報記録媒体と前記対物レンズとの相対的な傾きを変更することにより、前記光情報記録媒体の情報記録面に集光された光束におけるコマ収差を制御できるようになっており、
前記第１の対物レンズは、前記第１の光源からの光束が入射した際に前記第１の対物レンズの傾きが１度のときに生じるコマ収差が０．０８λｒｍｓ以下である特性を有し、前記第２の対物レンズは、前記第２の光源からの光束が入射した際に前記第２の対物レンズの傾きが１度のときに生じるコマ収差が０．０８λｒｍｓ以下である特性を有すると共に、前記第３の光源のシフトによる光軸の傾きが１度のときに発生するコマ収差が０．０３λｒｍｓ以下である特性を有し、
前記第２の対物レンズを介して、前記第３の光源からの光束を第３光情報記録媒体の情報記録面に集光させるようにした時、該集光スポットのコマ収差が軽減するよう、前記アクチュエータベースの傾きを調整するステップと、
前記第１の対物レンズを介して、前記第１の光源からの光束を第１光情報記録媒体の情報記録面に集光させるようにした時、該集光スポットのコマ収差が軽減するよう、前記第１の光源に関してシフト調整処理を行うステップと、
前記第２の対物レンズを介して、前記第２の光源からの光束を第２光情報記録媒体の情報記録面に集光させるようにした時、該集光スポットのコマ収差が軽減するよう、前記第２の光源に関してシフト調整処理を行うステップと、を有することを特徴とする。
【００３２】
本発明の光ピックアップ装置の組立方法によれば、前記第２の対物レンズは、前記第３の光源からの光束に対して像高優先設計がなされているので、前記第２の対物レンズは、コマ収差を所定値以内に抑えるに当たって、第３の光源のシフトによる入射光束の傾きに対しコマ調整感度が低い。一方、その対物レンズのチルトに対してはコマ調整感度が高いので、前記第３の光源からの光束を使用する際における前記第２の対物レンズの傾きを精度良く調整することで、前記第３の光源からの光束を用いても前記第３光情報記録媒体の情報記録面に集光されたスポットにおいてコマ収差を抑えることができ、それにより適切な情報の記録及び／又は再生を行うことができる。更に、前記第１の対物レンズは、前記第１の光源からの光束に対して傾角優先設計がなされており、且つ前記第２の対物レンズは、前記第２の光源からの光束に対して傾角優先設計がなされているので、前記第１の光源からの光束の光軸と、前記第１の対物レンズの光軸とのシフト量を抑え、且つ前記第２の光源からの光束の光軸と、前記第２の対物レンズの光軸とのシフト量を抑えるように前記第１の光源及び前記第２の光源の位置を調整すれば、前記第１の光源からの光束を用いても第１光情報記録媒体の情報記録面に集光されたスポットにおいてコマ収差を抑えることもでき、更に前記第２の光源からの光束を用いても第２光情報記録媒体の情報記録面に集光されたスポットにおいてコマ収差を抑えることもできる。又、光情報記録媒体の反りなどに起因して生ずるコマ収差や、部品精度や組立精度の限界により残った誤差に起因して生じるコマ収差は、前記相対傾き変更手段を利用してより小さく抑えることができる。尚、第１の光源のシフト調整処理と、第２の光源のシフト調整処理とは、互いに光学的に独立した調整であるため、いずれを先に行っても良い。【００３３】
本発明の第８の実施の形態に記載の光ピックアップ装置の組立方法は、３８０ｎｍ≦λ１≦４５０ｎｍを満足する第１の波長λ１の光を出射する第１の光源と、６００ｎｍ≦λ２≦７００ｎｍを満足する第２の波長λ２の光を出射する第２の光源と、７５０ｎｍ≦λ３≦８５０ｎｍを満足する第３の波長λ３の光を出射する第３の光源と、第１の対物レンズと、第２の対物レンズと、前記第１の対物レンズと前記第２の対物レンズとを保持するレンズホルダと、前記レンズホルダを駆動するアクチュエータと、前記アクチュエータを支持するアクチュエータベースと、を有し、前記第１の対物レンズを介して、前記第１の光源からの光束を、厚さｔ１の保護層を介して第１光情報記録媒体の情報記録面に集光させることによって、情報の記録及び／又は再生を行うことが可能となっており、前記第２の対物レンズを介して、前記第２の光源からの光束を、厚さｔ２（ｔ１≦ｔ２）の保護層を介して第２光情報記録媒体の情報記録面に集光させることによって、情報の記録及び／又は再生を行うことが可能となっており、又、前記第３光源からの光束を、厚さｔ３（ｔ２＜ｔ３）の保護層を介して第３光情報記録媒体の情報記録面に集光させることによって、情報の記録及び／又は再生を行うことが可能となっており、又、前記光情報記録媒体に対して情報の記録及び／又は再生を行う際に、前記光情報記録媒体と前記対物レンズとの相対的な傾きを変更できる相対傾き変更手段を備えた、光情報記録再生装置に搭載される光ピックアップ装置の組立方法であって、
前記相対傾き変更手段は、前記光情報記録媒体と前記対物レンズとの相対的な傾きを変更することにより、前記光情報記録媒体の情報記録面に集光された光束におけるコマ収差を制御できるようになっており、
前記第１の対物レンズは、前記第１の光源からの光束が入射した際に前記第１の対物レンズの傾きが１度のときに生じるコマ収差が０．０８λｒｍｓ以下である特性を有し、前記第２の対物レンズは、前記第２の光源及び前記第３の光源からの光束が入射した際に前記第２の対物レンズの傾きが１度のときに生じるコマ収差が０．０８λｒｍｓ以下である特性を有し、
前記第１の対物レンズを介して、前記第１の光源からの光束を第１光情報記録媒体の情報記録面に集光させるようにした時、該集光スポットのコマ収差が軽減するよう、前記第１の光源に関してシフト調整処理を行うステップと、
前記第２の対物レンズを介して、前記第２の光源からの光束を第２光情報記録媒体の情報記録面に集光させるようにした時、該集光スポットのコマ収差が軽減するよう、前記第２の光源に関してシフト調整処理を行うステップと、
前記第２の対物レンズを介して、前記第３の光源からの光束を第３光情報記録媒体の情報記録面に集光させるようにした時、該集光スポットのコマ収差が軽減するよう、前記第３の光源に関してシフト調整処理を行うステップと、を有することを特徴とする。
【００３４】
本発明の光ピックアップ装置の組立方法によれば、前記第１の対物レンズは、前記第１の光源からの光束に対して傾角優先設計がなされており、前記第２の対物レンズは、前記第２の光源及び前記第３の光源からの光束に対して傾角優先設計がなされているので、前記第１の光源からの光束の光軸と、前記第１の対物レンズの光軸とのシフト量を抑えるように前記第１の光源の位置を調整し、且つ前記第２の光源からの光束の光軸と、前記第２の対物レンズの光軸とのシフト量を抑えるように前記第２の光源の位置を調整し、且つ前記第３の光源からの光束の光軸と、前記第２の対物レンズの光軸とのシフト量を抑えるように前記第３の光源の位置を調整すれば、いずれの光源からの光束を用いてもそれぞれ光情報記録媒体の情報記録面に集光されたスポットにおいてコマ収差を抑えることができる。又、光情報記録媒体の反りなどに起因して生ずるコマ収差や、部品精度や組立精度の限界により残った誤差に起因して生じるコマ収差は、前記相対傾き変更手段を利用してより小さく抑えることができる。尚、第１の光源のシフト調整処理と、第２の光源のシフト調整処理と、第３の光源のシフト調整処理とは、各々光学的に独立した調整であるため、いずれを先に行っても良い。【００３５】
本発明の第９の実施の形態の実施の形態に記載の光ピックアップ装置の組立方法は、本発明の第２-第８の実施の形態いずれかに記載の発明において、前記シフト調整処理は、調整すべき前記光源を基準光軸直交方向に移動させることで行うことを特徴とする。【００３６】
本発明の第1０の実施の形態に記載の光ピックアップ装置の組立方法は、本発明の第1-６の実施の形態のいずれかに記載の発明において、前記第１の光源と前記第２の光源とが同一の筐体内に収容されていることを特徴とするので、部品点数を抑え、且つ光ピックアップ装置をコンパクトにできる。尚、このように同一筐体内に２つの光源を収容すると、少なくとも一方の光源の光軸は、対物レンズの光軸に対してシフトする恐れがあるが、このシフト量が１５０μｍ程度以下であれば、対物レンズに入射する両光束の傾きは１度程度以内に収まるため、光軸に対して傾斜の大きい光束に像高優先設計の対物レンズを適用することにより両光束とも良好な結像スポットとすることができる。【００３７】
本発明の第1１の実施の形態に記載の光ピックアップ装置の組立方法は、本発明の第1-３、5-7の実施の形態のいずれかに記載の発明において、前記第２の光源と前記第３の光源とが同一の筐体内に収容されていることを特徴とするので、部品点数を抑え、且つ光ピックアップ装置をコンパクトにできる。尚、このように同一筐体内に２つの光源を収容すると、少なくとも一方の光源の光軸は、対物レンズの光軸に対してシフトする恐れがあるが、このシフト量が１５０μｍ程度以下であれば、対物レンズに入射する両光束の傾きは１度程度以内に収まるため、光軸に対して傾斜の大きい光束に像高優先設計の対物レンズを適用することにより両光束とも良好な結像スポットとすることができる。特に、両光束に対して像高優先設計の対物レンズが対応する場合は、より短波長の光束を光軸に近づけるよう光源を調整することが好ましい。【００３８】
本発明の第1２の実施の形態に記載の光ピックアップ装置の組立方法は、本発明の第３-８の実施の形態のいずれかに記載の発明において、前記第１の光源と前記第２の光源とが同一の筐体内に収容されており、前記筐体には、一方の光源からの光束の出射方向を変更する光軸補正素子が位置調整可能に取り付けられており、前記シフト調整処理は、前記光軸補正素子の光軸方向の移動もしくは光軸に垂直な面内における位置移動によって行うことを特徴とするので、少なくとも一方の光源の光軸が、対物レンズの光軸に対してシフトしていた場合でも、前記光軸補正素子を通過させることで、見かけ上の光束の光軸が対物レンズの光軸により近づくか、又は一致させるようにすることもできる。尚、本明細書中、「光軸補正素子」とは、これを透過又は反射する光束の光軸を波長選択的に変える光学素子を指し、例えば回折格子を利用した例として、特開２００３−３２９９６９に記載されている。【００３９】
本発明の第1３の実施の形態に記載の光ピックアップ装置の組立方法は、本発明の第２-４、６-８の実施の形態のいずれかに記載の発明において、前記第２の光源と前記第３の光源とが同一の筐体内に収容されており、前記筐体には、一方の光源からの光束の出射方向を変更する光軸補正素子が位置調整可能に取り付けられており、前記シフト調整処理は、前記光軸補正素子の光軸方向の移動もしくは光軸に垂直な面内における位置移動によって行うことを特徴とするので、少なくとも一方の光源の光軸が、対物レンズの光軸に対してシフトしていた場合でも、前記光軸補正素子を通過させることで、見かけ上の光束の光軸が対物レンズの光軸により近づくか、又は一致させるようにすることもできる。【００４０】
本発明の第1４の実施の形態に記載の光ピックアップ装置の組立方法は、本発明の第1-１２の実施の形態のいずれかに記載の発明において、前記光ピックアップ装置は、前記第１〜前記第３光情報記録媒体のうち少なくとも２つの光情報記録媒体の情報記録面から反射した光束の少なくとも一部を分離させる分離手段と、前記反射光を受光する光検出器と、前記分離手段と前記光検出器との間に配置された光軸補正素子とを有することを特徴とする。【００４１】
前記第１〜第３の光源からの光束のいずれかを用いたコマ調整において、少なくとも一つの光源に対応する対物レンズが傾角優先設計の場合、上記調整を行うと、その対物レンズに入射する光束の傾きは、光ピックアップ装置個々において不定量異なってしまい、そのため、前記第１〜第３の光源のいずれかから出射され且つ光情報記録媒体より反射してきた光束のスポット位置が不定量異なることから、各光源からの光束を受光する光検出器をそれぞれ別個に設けることが必要となる。ところが、光検出器を別個に設けることはコスト増を招く。かかる場合、前記光軸補正素子を設けることで、同じ光検出器の受光面の所定の位置に、少なくとも２つの光源からの光束により良好なスポットを結像させることができるようにし、光検出器の共通化を図ることができる。【００４２】
本発明の第1５の実施の形態に記載の光ピックアップ装置の組立方法は、本発明の第1-８の実施の形態のいずれかに記載の発明において、前記光ピックアップ装置は、光源から出射した光束を記録又は再生用のメインビームと、トラッキングエラー信号検出用のサブビームに分離するための回折格子素子を有し、前記サブビームにおいて光情報記録媒体の情報記録面上での結像スポットの収差は０．０７λｒｍｓ以下であることを特徴とする。特に、計画優先設計である対物レンズを用いる場合、像高によりサブビームの結像性能が低下する恐れがあるが、結像スポットの収差を０．０７λｒｍｓ以下であるようにすれば、誤検出の恐れを回避できる。【００４３】
本発明の第1６の実施の形態に記載の光ピックアップ装置の組立方法は、本発明の第1-３の実施の形態のいずれかに記載の発明において、前記レンズホルダは、前記第１の対物レンズ又は前記第２の対物レンズの主点を略中心とした球面の一部を含む支持部を有することを特徴とするので、対物レンズの傾角を調整するのに伴って光源からの光束の光軸に対するシフトが生ずることを抑制できる。【００４４】
本発明の第1７の実施の形態に記載の光ピックアップ装置の組立方法は、本発明の第1-３の実施の形態のいずれかに記載の発明において、前記レンズホルダに対して、傾き調整をすべき対物レンズを非接触な状態に保持したまま、その傾きを調整した後に、前記レンズホルダと前記傾き調整がされた対物レンズとの間の空間に接着剤を充填して、両者を固定することを特徴とする。かかる理由は、前記レンズホルダに前記対物レンズが接触した状態で前記対物レンズの傾き調整を行うと、傾き調整時に前記レンズホルダの姿勢に影響を与える可能性があるからであり、その状態で前記対物レンズの傾き調整を行っても、調整後に前記レンズホルダの姿勢が本来の実使用時の状態に戻ると、前記対物レンズの傾きが調整状態からずれてしまうことになる。請求項１５の組立方法によれば、この問題を回避することができる。【００４５】
本発明の第1８の実施の形態に記載の光ピックアップ装置の組立方法は、本発明の第1-３、１６および１７の実施の形態のいずれかに記載の発明において、前記レンズホルダに対して前記第１の対物レンズ又は前記第２の対物レンズの傾きを調整する際に、調整する対物レンズを保持するアームとの干渉を回避するための凹部を前記レンズホルダに形成したことを特徴とする。【００４６】
本発明の第1９の実施の形態に記載の光ピックアップ装置の組立方法は、本発明の第1-１８の実施の形態のいずれかに記載の発明において、前記相対傾き変更手段は、前記レンズホルダを傾けることを特徴とする。【００４７】
本発明の第２０の実施の形態に記載の光ピックアップ装置の組立方法は、本発明の第1-１８の実施の形態のいずれかに記載の発明において、前記相対傾き変更手段は、前記対物レンズ及び前記光源を含む光学系全体を傾けることを特徴とする。【００４８】
本発明の第２1の実施の形態に記載の光ピックアップ装置の組立方法は、本発明の第1-１８の実施の形態のいずれかに記載の発明において、前記光情報記録再生装置は、前記光情報記録媒体を回転駆動するスピンドルモータを備えており、前記相対傾き変更手段は、前記スピンドルモータを傾けることを特徴とする。【００４９】
本発明の第２２の実施の形態に記載の光ピックアップ装置は、本発明の第1-２１の実施の形態のいずれかに記載の光ピックアップ装置の組立方法により組み立てられたことを特徴とする。【００５０】
本明細書中において、対物レンズとは、狭義には光ピックアップ装置に光情報記録媒体を装填した状態において、最も光情報記録媒体側の位置で、これと対向すべく配置される集光作用を有するレンズを指し、広義にはそのレンズと共に、アクチュエータによって少なくともその光軸方向に作動可能なレンズを指すものとする。【００５１】
本明細書中において、第１光情報記録媒体とは、例えば、ＢＤやＨＤ  ＤＶＤなどの高密度ＤＶＤ系の光ディスクをいい、第２光情報記録媒体とは、再生専用に用いるＤＶＤ−ＲＯＭ，ＤＶＤ−Ｖｉｄｅｏの他、再生／記録を兼ねるＤＶＤ−ＲＡＭ，ＤＶＤ−Ｒ，ＤＶＤ−ＲＷ等の各種ＤＶＤ系の光ディスクを含むものである。又、第３光情報記録媒体とは、ＣＤ−Ｒ，ＣＤ−ＲＷ等のＣＤ系の光ディスクをいう。尚、第１光情報記録媒体の保護層の厚さｔ１と、第２光情報記録媒体の保護層の厚さｔ２とは、ｔ１＝ｔ２であってもよく、ｔ１＜ｔ２であってもよい。
【発明の効果】
【００５２】
本発明によれば、３つの異なる波長の光束と２つの対物レンズとを組み合わせて、３種類の光情報記録媒体に対して情報の記録及び／又は再生を行うことができる光ピックアップ装置を組み立てる際に、組立時の手間を軽減できると共に、適切な情報の記録及び／又は再生を可能とする光ピックアップ装置を組み立てることができる光ピックアップ装置の組立方法及びそれにより組み立てられる光ピックアップ装置を提供することができる。
【図面の簡単な説明】
【００５３】
【図１】光源ＬＤと、対物レンズＯＢＪと、光ディスクＯＤからなる系を示す概略図、及び像高優先設計と傾角優先設計とを説明するための図である。
【図２】第１の形態にかかる光ピックアップ装置の概略断面図である。
【図３】２つの対物レンズを保持するレンズホルダの断面図である。
【図４】第２の実施形態にかかる光ピックアップ装置の概略断面図である。
【図５】第３の実施形態にかかる光ピックアップ装置の概略断面図である。
【図６】第４の実施形態にかかる光ピックアップ装置の概略断面図である。
【図７】第５の実施形態にかかる光ピックアップ装置の概略断面図である。
【図８】２レーザ１パッケージの光源と回折素子とを保持する２つの例を示す断面図である。
【図９】レンズホルダの変形例を示す図３と同様な断面図である。
【図１０】対物レンズを把持する治具とレンズホルダの別な変形例とを示す図である。
【図１１】光ピックアップ装置の一例を上面から見た図である。
【図１２】光ピックアップ装置ごと対物レンズの傾きを調整する傾き変更機構１０の斜視図である。
【図１３】レンズホルダごと対物レンズの傾きを調整する傾き変更機構２０の斜視図である。
【図１４】光ピックアップ装置ごと対物レンズの傾きを調整する傾き変更機構３０の斜視図である。
【発明を実施するための最良の形態】
【００５４】
以下、図面を参照して、本発明をさらに詳細に説明する。図２は、高密度ＤＶＤ（第１の光ディスクともいう）、従来のＤＶＤ（第２の光ディスクともいう）及びＣＤ（第３の光ディスクともいう）の全てに対して情報の記録／再生を行える、第１の形態にかかる光ピックアップ装置の概略断面図である。図３は、２つの対物レンズを保持するレンズホルダの断面図である。【００５５】
図３において、レンズホルダＨＤは、軸線を略平行とする２つの開口ＨＤａ、ＨＤｂを形成している。開口ＨＤａの図で上面の座繰り部ＨＤｃに当接するようにして、対物レンズＯＢＪ１のフランジＦＬ１が取り付けられている。一方、開口ＨＤｂの図で上面の座繰り部ＨＤｄの内周面は、対物レンズＯＢＪ２の主点Ｍの位置をほぼ中心とする球面となっている。この内周面にフランジＦＬ２を当接させるようにして、対物レンズＯＢＪ２がレンズホルダＨＤに取り付けられている。【００５６】
図２に示すように、レンズホルダＨＤは、アクチュエータＡＣＴにより少なくとも２次元的に可動に支持されている。アクチュエータＡＣＴは、光ピックアップ装置のフレーム（不図示）に対して位置調整可能に取り付けられたアクチュエータべースＡＣＴＢを有している。尚、対物レンズＯＢＪ１，ＯＢＪ２は、図３の位置にこだわらず、後述する光ピックアップ装置の組付方法において、レンズホルダＨＤに対して傾きを調整する対物レンズを、図３で右側の開口ＨＤｂに取り付けるようにできる。【００５７】
第１の光ディスクＯＤ１に対して情報の記録及び／又は再生を行う場合、図２において、第１の光源としての第１半導体レーザＬＤ１（波長λ１＝３８０ｎｍ〜４５０ｎｍ）から出射された光束は、ビームシェイパＢＳを通過することで光束の形状を補正された上で、第１コリメートレンズＣＬ１に入射する。第１コリメートレンズＣＬ１から出射した光束は、光源から出射した光束を記録再生用のメインビームとトラッキングエラー信号検出用のサブビームに分離するための光学手段である第１回折格子Ｇ１を通過し、更に第１偏光ビームスプリッタＰＢＳ１及びエキスパンダーレンズＥＸＰを通過する。エキスパンダーレンズＥＸＰは、少なくとも一つの光学素子が光軸方向に可動となっていて、平行光束の光束径を変更（ここでは拡大）する機能を有する。尚、ここにエキスパンダーレンズＥＸＰを設けたのは、球面収差補正機能を持たせるほか、例えば高密度ＤＶＤが情報記録面を２層に有しているタイプの場合、その光学素子を光軸方向に移動させることで、情報記録面の選択を行えるようにするためでもある。【００５８】
エキスパンダーレンズＥＸＰを通過した光束は、第１の１／４波長板ＱＷＰ１を通過して、第１の対物レンズＯＢＪ１により集光されて、第１の光ディスクＯＤ１の保護層（厚さｔ１＝０．１〜０．７ｍｍ）を介してその情報記録面に集光されここに集光スポットを形成する。【００５９】
そして情報記録面で情報ピットにより変調されて反射した光束は、再び第１の対物レンズＯＢＪ１、第１の１／４波長板ＱＷＰ１、エキスパンダーレンズＥＸＰを通過して、第１偏光ビームスプリッタＰＢＳ１で反射され、更に第１センサレンズＳＬ１を介して第１光検出器ＰＤ１の受光面に入射するので、その出力信号を用いて、第１の光ディスクＯＤ１に情報記録された情報の読み取り信号が得られる。【００６０】
また、第１光検出器ＰＤ１上でのスポットの形状変化、位置変化による光量変化を検出して、合焦検出やトラック検出を行う。この検出に基づいて、第１半導体レーザＬＤ１からの光束を第１の光ディスクＯＤ１の情報記録面上に結像するように、第１の対物レンズＯＢＪ１をレンズホルダＨＤごと移動させるように、アクチュエータＡＣＴを駆動する。【００６１】
第２の光ディスクＯＤ２に対して情報の記録及び／又は再生を行う場合、第２半導体レーザＬＤ２（波長λ２＝６００ｎｍ〜７００ｎｍ）から出射された光束は、第１ダイクロイックプリズムＤＰ１を通過し、第２コリメートレンズＣＬ２に入射し、更に第２回折格子Ｇ２，第２偏光ビームスプリッタＰＢＳ２、第２の１／４波長板ＱＷＰ２を通過して、第２の対物レンズＯＢＪ２により集光されて、第２の光ディスクＯＤ２の保護層（厚さｔ２＝０．５〜０．７ｍｍ）を介してその情報記録面に集光されここに集光スポットを形成する。【００６２】
そして情報記録面で情報ピットにより変調されて反射した光束は、再び第２の対物レンズＯＢＪ２、第２の１／４波長板ＱＷＰ２を通過し、第２偏光ビームスプリッタＰＢＳ２で反射され、更に第２センサレンズＳＬ２と第２ダイクロイックプリズムＤＰ２を透過して第２光検出器ＰＤ２の受光面に入射するので、その出力信号を用いて、第２の光ディスクＯＤ２に情報記録された情報の読み取り信号が得られる。【００６３】
また、第２光検出器ＰＤ２上でのスポットの形状変化、位置変化による光量変化を検出して、合焦検出やトラック検出を行う。この検出に基づいて、第２半導体レーザＬＤ２からの光束を第２の光ディスクＯＤ２の情報記録面上に結像するように、第２の対物レンズＯＢＪ２をレンズホルダＨＤごと移動させるように、アクチュエータＡＣＴを駆動する。【００６４】
第３の光ディスクＯＤ３に対して情報の記録及び／又は再生を行う場合、第３半導体レーザＬＤ３（波長λ３＝７００ｎｍ〜８００ｎｍ）から出射された光束は、第１ダイクロイックプリズムＤＰ１で反射され、第２コリメートレンズＣＬ２に入射し、更に第２回折格子Ｇ２、第２偏光ビームスプリッタＰＢＳ２、第２の１／４波長板ＱＷＰ２を通過して、第２の対物レンズＯＢＪ２により集光されて、第３の光ディスクＯＤ３の保護層（厚さｔ３＝１．１〜１．３ｍｍ）を介してその情報記録面に集光されここに集光スポットを形成する。【００６５】
そして情報記録面で情報ピットにより変調されて反射した光束は、再び第２の対物レンズＯＢＪ２、第２の１／４波長板ＱＷＰ２を通過し、第２偏光ビームスプリッタＰＢＳ２で反射され、更に第２センサレンズＳＬ２を透過し、第２ダイクロイックプリズムＤＰ２で反射されて第３光検出器ＰＤ３の受光面に入射するので、その出力信号を用いて、第３の光ディスクＯＤ３に情報記録された情報の読み取り信号が得られる。【００６６】
また、第３光検出器ＰＤ３上でのスポットの形状変化、位置変化による光量変化を検出して、合焦検出やトラック検出を行う。この検出に基づいて、第３半導体レーザＬＤ３からの光束を第３の光ディスクＯＤ３の情報記録面上に結像するように、第２の対物レンズＯＢＪ２をレンズホルダＨＤごと移動させるように、アクチュエータＡＣＴを駆動する。【００６７】
本実施の形態の対物レンズの組付方法について説明する。（１）第１の対物レンズＯＢＪ１が、第１半導体レーザＬＤ１からの光束に対して像高優先設計がなされており、第２の対物レンズＯＢＪ２が、第２半導体レーザＬＤ２及び第３半導体レーザＬＤ３からの光束に対して像高優先設計がなされている場合（請求項１に対応）：
まず、第１の半導体レーザＬＤ１、第２の半導体レーザＬＤ２、第３の半導体レーザＬＤ３の光束の軸線、第１の対物レンズＯＢＪ１、及び第２の対物レンズＯＢＪ２の光軸を、光ピックアップ装置の基準光軸に対して、それぞれ１度以内の傾きに収まるように調整して取り付ける。【００６８】
かかる状態では、第１の対物レンズＯＢＪ１はレンズホルダＨＤに接着固定され、第２の対物レンズＯＢＪ２はレンズホルダＨＤに接着固定されていない。次に、第１の対物レンズＯＢＪ１が、第１半導体レーザＬＤ１からの光束を第１の光ディスクＯＤ１の情報記録面に集光するようにした時、その集光スポットのコマ収差が所定値以下に小さくなるように、アクチュエータベースＡＣＴＢ（すなわち第１の対物レンズＯＢＪ１）の傾きを調整する。【００６９】
続いて、第２の対物レンズＯＢＪ２が、第２半導体レーザＬＤ２からの光束が、第２の光ディスクＯＤ２の情報記録面に集光するようにした時、その集光スポットのコマ収差が所定値以下に小さくなるように、レンズホルダＨＤに対する第２の対物レンズＯＢＪ２の傾きを調整する。その後、第２の対物レンズＯＢＪ２をレンズホルダＨＤに接着固定する。尚、調整しなかった第３の半導体レーザＬＤ３については、光軸に対する角度誤差１度以内の初期調整のままで用いられる。
（２）第１の対物レンズＯＢＪ１は、前記第１半導体レーザからの光束に対して像高優先設計がなされており、前記第２の対物レンズは、前記第２半導体レーザからの光束に対して像高優先設計がなされていると共に、前記第３半導体レーザからの光束に対して傾角優先設計がなされている場合（請求項２に対応）：
まず、第１の半導体レーザＬＤ１、第２の半導体レーザＬＤ２、第３の半導体レーザＬＤ３の光束の軸線、第１の対物レンズＯＢＪ１、及び第２の対物レンズＯＢＪ２の光軸を、光ピックアップ装置の基準光軸に対して、それぞれ１度以内の傾きに収まるように調整して取り付ける。【００７０】
かかる状態では、第１の対物レンズＯＢＪ１はレンズホルダＨＤに接着固定され、第２の対物レンズＯＢＪ２はレンズホルダＨＤに接着固定されていない。次に、第１の対物レンズＯＢＪ１が、第１半導体レーザＬＤ１からの光束を第１光ディスクＯＤ１の情報記録面に集光するようにした時、その集光スポットのコマ収差が所定値以下に小さくなるように、アクチュエータベースＡＣＴＢ（すなわち対物レンズＯＢＪ１）の傾きを調整する。【００７１】
続いて、第２の対物レンズＯＢＪ２が、第２半導体レーザＬＤ２からの光束を第２光ディスクＯＤ２の情報記録面に集光するようにした時、その集光スポットのコマ収差が所定値以下に小さくなるように、レンズホルダＨＤに対する第２の対物レンズＯＢＪ２の傾きを調整する。その後、第２の対物レンズＯＢＪ２をレンズホルダＨＤに接着固定する。【００７２】
更に、第２の対物レンズＯＢＪ２が、第３半導体レーザＬＤ３からの光束を第３光ディスクＯＤ３の情報記録面に集光するようにした時、その集光スポットのコマ収差が所定値以下に小さくなるように、第３半導体レーザＬＤ３を光軸直交方向に位置調整（シフト調整処理ともいう：以下同じ）する。
（３）第１の対物レンズＯＢＪ１が、第１半導体レーザＬＤ１からの光束に対して像高優先設計がなされており、第２の対物レンズＯＢＪ２は、第２半導体レーザＬＤ２からの光束に対して傾角優先設計がなされていると共に、第３半導体レーザＬＤ３からの光束に対して像高優先設計がなされている場合（請求項３に対応）：
まず、第１の半導体レーザＬＤ１、第２の半導体レーザＬＤ２、第３の半導体レーザＬＤ３の光束の軸線、第１の対物レンズＯＢＪ１、及び第２の対物レンズＯＢＪ２の光軸を、光ピックアップ装置の基準光軸に対して、それぞれ１度以内の傾きに収まるように調整して取り付ける。【００７３】
かかる状態では、第１の対物レンズＯＢＪ１はレンズホルダＨＤに接着固定され、第２の対物レンズＯＢＪ２はレンズホルダＨＤに接着固定されていない。次に、第１の対物レンズＯＢＪ１が、第１半導体レーザＬＤ１からの光束を第１光ディスクＯＤ１の情報記録面に集光するようにした時、その集光スポットのコマ収差が所定値以下に小さくなるように、アクチュエータベースＡＣＴＢ（即ち第１の対物レンズＯＢＪ１）の傾きを調整する。【００７４】
続いて、第２の対物レンズＯＢＪ２が、第３半導体レーザＬＤ３からの光束を第３光ディスクの情報記録面に集光するようにした時、その集光スポットのコマ収差が所定値以下に小さくなるように、レンズホルダＨＤに対する第２の対物レンズＯＢＪ２の傾きを調整する。その後、第２の対物レンズＯＢＪ２をレンズホルダＨＤに接着固定する。【００７５】
更に、第２の対物レンズＯＢＪ２が、第２半導体レーザＬＤ２からの光束を第２光ディスクＯＤ２の情報記録面に集光するようにした時、その集光スポットのコマ収差が所定値以下に小さくなるように、第２半導体レーザＬＤ２を光軸直交方向に位置調整する。
（４）第１の対物レンズＯＢＪ１が、第１半導体レーザＬＤ１からの光束に対して像高優先設計がなされており、第２の対物レンズＯＢＪ２が、第２半導体レーザＬＤ２からの光束に対して傾角優先設計がなされていると共に、第３半導体レーザＬＤ３からの光束に対して傾角優先設計がなされている場合（請求項４に対応）：
まず、第１の半導体レーザＬＤ１、第２の半導体レーザＬＤ２、第３の半導体レーザＬＤ３の光束の軸線、第１の対物レンズＯＢＪ１、及び第２の対物レンズＯＢＪ２の光軸を、光ピックアップ装置の基準光軸に対して、それぞれ１度以内の傾きに収まるように調整して取り付ける。【００７６】
ここで、第１の対物レンズＯＢＪ１と第２の対物レンズＯＢＪ２はレンズホルダＨＤに接着固定されている。第１の対物レンズＯＢＪ１が、第１半導体レーザＬＤ１からの光束を第１光ディスクＯＤ１の情報記録面に集光するようにした時、その集光スポットのコマ収差が所定値以下に小さくなるように、アクチュエータベースＡＣＴＢ（即ち第１の対物レンズＯＢＪ１）の傾きを調整する。尚、アクチュエータベースＡＣＴＢでなく、レンズホルダＨＤに対して第１の対物レンズＯＢＪ１の傾きを調整しても良い。この場合、調整前にレンズホルダＨＤに対して第１の対物レンズＯＢＪ１を接着固定しないことはいうまでもない。【００７７】
続いて、第２の対物レンズＯＢＪ２が、第２半導体レーザＬＤ２からの光束を第２光ディスクＯＤ２の情報記録面に集光するようにした時、その集光スポットのコマ収差が所定値以下に小さくなるように、第２半導体レーザＬＤ２を光軸直交方向に位置調整する。【００７８】
更に、第２の対物レンズＯＢＪ２が、第３半導体レーザＬＤ３からの光束を第３光ディスクＯＤ３の情報記録面に集光するようにした時、その集光スポットのコマ収差が所定値以下に小さくなるように、第３半導体レーザＬＤ３を光軸直交方向に位置調整する。
（５）第１の対物レンズＯＢＪ１が、第１半導体レーザＬＤ１からの光束に対して傾角優先設計がなされており、第２の対物レンズＯＢＪ２が、第２半導体レーザＬＤ２及び第３半導体レーザＬＤ３からの光束に対して像高優先設計がなされている場合（請求項５に対応）。【００７９】
まず、第１の半導体レーザＬＤ１、第２の半導体レーザＬＤ２、第３の半導体レーザＬＤ３の光束の軸線、第１の対物レンズＯＢＪ１、及び第２の対物レンズＯＢＪ２の光軸を、光ピックアップ装置の基準光軸に対して、それぞれ１度以内の傾きに収まるように調整して取り付ける。【００８０】
ここで、第１の対物レンズＯＢＪ１と第２の対物レンズＯＢＪ２はレンズホルダＨＤに接着固定されている。第２の対物レンズＯＢＪ２が、第２半導体レーザＬＤ２からの光束を第２光ディスクＯＤ２の情報記録面に集光するようにした時、その集光スポットのコマ収差が所定値以下に小さくなるように、アクチュエータベースＡＣＴＢ（即ち第２の対物レンズＯＢＪ２）の傾きを調整する。尚、アクチュエータベースＡＣＴＢでなく、レンズホルダＨＤに対して第２の対物レンズＯＢＪ２の傾きを調整しても良い。この場合、調整前にレンズホルダＨＤに対して第２の対物レンズＯＢＪ２を接着固定しないことはいうまでもない。【００８１】
続いて、第１の対物レンズＯＢＪ１が、第１半導体レーザＬＤ１からの光束を第１光ディスクＯＤ１の情報記録面に集光するようにした時、その集光スポットのコマ収差が所定値以下に小さくなるように、第１半導体レーザＬＤ１を光軸直交方向に位置調整する。
（６）第１の対物レンズＯＢＪ１が、第１半導体レーザＬＤ１からの光束に対して傾角優先設計がなされており、第２の対物レンズＯＢＪ２が、第２半導体レーザＬＤ２からの光束に対して像高優先設計がなされていると共に、第３半導体レーザＬＤ３からの光束に対して傾角優先設計がなされている場合（請求項６に対応）：
まず、第１の半導体レーザＬＤ１、第２の半導体レーザＬＤ２、第３の半導体レーザＬＤ３の光束の軸線、第１の対物レンズＯＢＪ１、及び第２の対物レンズＯＢＪ２の光軸を、光ピックアップ装置の基準光軸に対して、それぞれ１度以内の傾きに収まるように調整して取り付ける。【００８２】
第１の対物レンズＯＢＪ１と第２の対物レンズＯＢＪ２はレンズホルダＨＤに接着固定されている。第２の対物レンズＯＢＪ２が、第２半導体レーザＬＤ２からの光束を第２光ディスクＯＤ２の情報記録面に集光するようにした時、その集光スポットのコマ収差が所定値以下に小さくなるように、アクチュエータベースＡＣＴＢ（即ち第２の対物レンズＯＢＪ２）の傾きを調整する。尚、アクチュエータベースＡＣＴＢでなく、レンズホルダＨＤに対して第２の対物レンズＯＢＪ２の傾きを調整しても良い。この場合、調整前にレンズホルダＨＤに対して第２の対物レンズＯＢＪ２を接着固定しないことはいうまでもない。【００８３】
続いて、第２の対物レンズＯＢＪ２が、第３半導体レーザＬＤ３からの光束を第３光ディスクＯＤ３の情報記録面に集光するようにした時、その集光スポットのコマ収差が所定値以下に小さくなるように、第３半導体レーザＬＤ３を光軸直交方向に位置調整する。【００８４】
更に、第１の対物レンズＯＢＪ１が、第１半導体レーザＬＤ１からの光束を第１光ディスクの情報記録面に集光するようにした時、その集光スポットのコマ収差が所定値以下に小さくなるように、第１半導体レーザＬＤ１を光軸直交方向に位置調整する。
（７）第１の対物レンズＯＢＪ１が、第１半導体レーザＬＤ１からの光束に対して傾角優先設計がなされており、第２の対物レンズＯＢＪ２は、第２半導体レーザＬＤ２からの光束に対して傾角優先設計がなされているとともに、第３半導体レーザＬＤ３からの光束に対して像高優先設計がなされている場合（請求項７に対応）：
まず、第１の半導体レーザＬＤ１、第２の半導体レーザＬＤ２、第３の半導体レーザＬＤ３の光束の軸線、第１の対物レンズＯＢＪ１、及び第２の対物レンズＯＢＪ２の光軸を、光ピックアップ装置の基準光軸に対して、それぞれ１度以内の傾きに収まるように調整して取り付ける。【００８５】
第１の対物レンズＯＢＪ１と第２の対物レンズＯＢＪ２はレンズホルダＨＤに接着固定されている。第２の対物レンズＯＢＪ２が、第３半導体レーザＬＤ３からの光束を第３光ディスクの情報記録面に集光するようにした時、その集光スポットのコマ収差が所定値以下に小さくなるように、アクチュエータベースＡＣＴＢ（即ち第２の対物レンズＯＢＪ２）の傾きを調整する。尚、アクチュエータベースＡＣＴＢでなく、レンズホルダＨＤに対して第２の対物レンズＯＢＪ２の傾きを調整しても良い。この場合、調整前にレンズホルダＨＤに対して第２の対物レンズＯＢＪ２を接着固定しないことはいうまでもない。【００８６】
続いて、第２の対物レンズＯＢＪ２が、第２半導体レーザＬＤ２からの光束を第２光ディスクＯＤ２の情報記録面に集光するようにした時、その集光スポットのコマ収差が所定値以下に小さくなるように、第２半導体レーザＬＤ２を光軸直交方向に位置調整する。【００８７】
更に、第１の対物レンズＯＢＪ１が、第１半導体レーザＬＤ１からの光束を第１光ディスクＯＤ１の情報記録面に集光するようにした時、その集光スポットのコマ収差が所定値以下に小さくなるように、第１半導体レーザＬＤ１を光軸直交方向に位置調整する。
（８）第１の対物レンズＯＢＪ１が、第１半導体レーザＬＤ１からの光束に対して傾角優先設計がなされており、第２の対物レンズＯＢＪ２は、第２半導体レーザＬＤ２及び第３半導体レーザＬＤ３からの光束に対して傾角優先設計がなされている場合（請求項８に対応）：
まず、第１の半導体レーザＬＤ１、第２の半導体レーザＬＤ２、第３の半導体レーザＬＤ３の光束の軸線、第１の対物レンズＯＢＪ１、及び第２の対物レンズＯＢＪ２の光軸を、光ピックアップ装置の基準光軸に対して、それぞれ１度以内の傾きに収まるように調整して取り付ける。【００８８】
更に、第１の対物レンズＯＢＪ１が、第１半導体レーザＬＤ１からの光束を第１光ディスクＯＤ１の情報記録面に集光するようにした時、その集光スポットのコマ収差が所定値以下に小さくなるように、第１半導体レーザＬＤ１を光軸直交方向に位置調整する。【００８９】
続いて、第２の対物レンズＯＢＪ２が、第２半導体レーザＬＤ２からの光束を第２光ディスクＯＤ２の情報記録面に集光するようにした時、その集光スポットのコマ収差が所定値以下に小さくなるように、第２半導体レーザＬＤ２を光軸直交方向に位置調整する。【００９０】
更に、第２の対物レンズＯＢＪ２が、第３半導体レーザＬＤ３からの光束を第３光ディスクＯＤ３の情報記録面に集光するようにした時、その集光スポットのコマ収差が所定値以下に小さくなるように、第３半導体レーザＬＤ３を光軸直交方向に位置調整する。尚、位置調整の順序としては、以上の例に加え、ＬＤ１−ＬＤ３−ＬＤ２、ＬＤ２−ＬＤ１−ＬＤ３、ＬＤ２−ＬＤ３−ＬＤ１、ＬＤ３−ＬＤ１−ＬＤ２，ＬＤ３−ＬＤ２−ＬＤ１の合計６通りが考えられ、いずれの順序で調整を行っても良い。【００９１】
以上の調整により、各半導体レーザから照射された光束を集光させたときにスポット光のコマ収差を極力抑えることができるが、本実施の形態では、実際の情報記録又は再生時に、光検出器からの信号に応じて相対傾き変更手段を駆動することで、光ディスクの反りに起因したコマ収差や、残存する誤差に起因したコマ収差を補正するようにしている。但し、組立時にコマ収差を調整することによって、実動作時における相対傾き変更手段の負担を軽減させることができ、その傾き変更機構の小型化、省エネ、低コスト化を達成できる。【００９２】
ここで、相対傾き変更手段としての傾き変更機構１０について説明する。図１２は、光ピックアップ装置ごと対物レンズＯＢＪ１、ＯＢＪ２の傾きを調整する傾き変更機構１０の側面図である。図１２において、光ディスクは図示しないマグネットクランプによりターンテーブルＴＴに装着され、固定べースＦＢに取り付けられたスピンドルモータＳＭにより回転駆動される。固定べースＦＢにはカムＣＭが取り付けられた傾き変更モータＴＶＭが固定されており、図示しない駆動電源により回転駆動される。【００９３】
光ピックアップＰＵは、チルトべースＴＢに固定されたガイドシャフトＧＳに保持され、図示しない移動機構によって光ディスク半径方向に移動可能となっている。チルトべースＴＢは回転軸ＲＳを介して固定べースＦＢに回転可能に保持され、バネＳＰによりカムＣＭに対して押し付けられている。記録及び／または再生時に、チルトセンサＴＳにより光ディスクの傾きを検出し、その結果に応じて傾き変更モータＴＶＭによりカムＣＭを回転させてチルトべースＴＢを傾けることにより、光ディスクと光ピックアップ装置ＰＵ（即ち対物レンズ）との相対的な傾きを変更する。これにより、光ディスクの情報記録面に集光された光束のコマ収差を制御できる。【００９４】
この方式は、光ディスクと光ピックアップ装置全体の相対的な傾きを変更するので、本発明の対物レンズの像高優先設計、傾角優先設計に関わらず有効である。このような光ピックアップ装置を傾ける傾き変更機構は本方式に限定するものではなく、他にも様々な方式が提案されており、例えば特開平９−９１７３１号公報に詳細な開示がある。【００９５】
次に、相対傾き変更手段の別な例として傾き変更機構２０について説明する。図１３は、レンズホルダごと対物レンズを傾ける傾き変更機構２０の斜視図である。図１３において、対物レンズＯＢＪ１，ＯＢＪ２は、レンズホルダＨＤに接着固定されている。レンズホルダＨＤは、サスペンションワイヤＳＷにより、ダンピング材を保持するワイヤホルダＷＨ及びワイヤ固定基板ＷＦを介してアクチュエータべースＡＣＴＢに保持されている。レンズホルダＨＤには、フォーカシング用コイルＦＣとトラッキング用コイルＴＣが固定されており、ヨークを兼ねるアクチュエータべースＡＣＴＢと、アクチュエータべースＡＣＴＢに固定されたマグネットＭＧと共に磁気回路を構成している。フォーカシングコイルＦＣ、トラッキングコイルＴＣに図示しない駆動電源より駆動電流を流すことにより、レンズホルダＨＤをフォーカシング方向、トラッキング方向に並進移動させることができる。【００９６】
また、レンズホルダＨＤには２つの傾き変更用マグネットＴＭＧが固定されており、それに対向するように２つの傾き変更用コイルＴＶＣが磁性体ＭＢに巻装されてアクチュエータべースＡＣＴＢに固定され、磁気回路を構成している。２つの磁気回路で上下反対方向の駆動力が発生するように、それぞれの傾き変更用コイルＴＶＣに流れる電流の向きを制御することにより、レンズホルダＨＤを傾けることができる。これにより、光ディスクの情報記録面に集光された光束のコマ収差を制御できる。【００９７】
本方式は、光ディスクと対物レンズ単体の相対的な傾きを変更するので、前述したように、対物レンズが、よりコマ調整感度が高い像高優先設計である場合において、特に効果が高い。このような、アクチュエータのレンズホルダを傾ける傾き変更機構は本方式に限定するものではなく、他にも様々な方式が提案されており、例えば特開平１０−２７５３５４号公報に詳細な開示がある。【００９８】
更に、相対傾き変更手段の別な例として傾き変更機構３０について説明する。図１４は、光ピックアップ装置ごと対物レンズを傾ける傾き変更機構３０の斜視図である。図１４において、光ディスクは図示しないマグネットクランプによりターンテーブルＴＴに装着され、スピンドルモータホルダＳＭＨに固定されたスピンドルモータＳＭにより回転駆動される。光ピックアップ装置ＰＵは固定ベースＦＢに固定されたガイドシャフトＧＳに保持され、図止しない移動機構によって光ディスク半径方向に移動可能となっている。固定べースＦＢにはカムＣＭが取り付けられた傾き変更モータＴＶＭが固定されており、図示しない駆動電源により回転駆動される。スピンドルモータホルダＳＭＨは回転軸ＲＳを介して固定ベースＦＢに回転可能に保持されており、バネＳＰによりカムＣＭに押し付けられている。記録及び／または再生時に、チルトセンサＴＳにより光ディスクの傾きを検出し、その結果に応じて傾き変更モータＴＶＭによりカムＣＭを回転させてスピンドルモータホルダＳＭＨを傾けることにより、光ディスクを傾けて、光ディスクと光ピックアップ装置ＰＵ（即ち対物レンズ）との相対的な傾きを変更する。これにより光ディスクの情報紀録面に集光された光束のコマ収差を制御できる。【００９９】
この方式は、光ディスクと光ピックアップ装置全体の相対的な傾きを変更するので、本発明の対物レンズの像高優先設計、傾角優先設計に関わらず有効である。このようなスピンドルモータを傾ける傾き変更機構は本方式に限定するものではなく、他の例としては、例えば特開平９−２８２６９２号公報に詳細な開示がある。【０１００】
更に、本実施の形態によれば、対物レンズを第１半導体レーザ専用と、第２半導体レーザ及び第３半導体レーザの共用と、２つ設けているため、各々の波長に対応した光ディスクに対する結像性能の光学設計的余裕が生じる。これは、特にレンズ厚や作動距離（ワーキングディスタンス）を小さくすることが設計的に可能となり薄型の光ピックアップ装置を設計する上で効果的である。また対物レンズ固有の収差マージンが大きくなるため、光ピックアップ装置の他の光学部品の収差を緩和することができる。また光ピックアップ装置の構成部品に高い機械的精度を要求することなく量産性に優れたものを設計することが可能で、光ピックアップ装置のコスト低減を図ることができる。【０１０１】
図４は、高密度ＤＶＤ（第１の光ディスクともいう）、従来のＤＶＤ（第２の光ディスクともいう）及びＣＤ（第３の光ディスクともいう）の全てに対して情報の記録／再生を行える、第２の実施の形態にかかる光ピックアップ装置の概略断面図である。本実施の形態においては、第１半導体レーザＬＤ１と、第２半導体レーザＬＤ２とが、同一の筐体内に収納された、いわゆる２レーザ１パッケージ２Ｌ１Ｐとなっている。【０１０２】
レンズホルダＨＤに対する２つの対物レンズの支持態様は、上述した実施の形態と同様である（図３参照）。図４に示すように、レンズホルダＨＤは、アクチュエータＡＣＴにより少なくとも２次元的に可動に支持されている。アクチュエータＡＣＴは、光ピックアップ装置のフレーム（不図示）に対して位置調整可能に取り付けられたアクチュエータべースＡＣＴＢを有している。対物レンズを支持するレンズホルダＨＤは、支持する２つの対物レンズの両光軸の中間点でそれらと略平行に延在する軸線回りに回転可能となっており、第１の光ディスクＯＤ１に対して情報の記録及び／又は再生を行う場合、図４に示すように、第１の対物レンズＯＢＪ１に１／４波長板ＱＷＰを通過した光束が入射する位置へと回転し、第２の光ディスクＯＤ２又は第３の光ディスクＯＤ３に対して情報の記録及び／又は再生を行う場合、第２の対物レンズＯＢＪ２に１／４波長板ＱＷＰを通過した光束が入射する位置へと回転するようになっている。【０１０３】
第１の光ディスクＯＤ１に対して情報の記録及び／又は再生を行う場合、レンズホルダＨＤを図４に示す位置へと回転移動させる。図４において、第１の光源としての第１半導体レーザＬＤ１（波長λ１＝３８０ｎｍ〜４５０ｎｍ）から出射された光束は、２レーザ１パッケージ２Ｌ１Ｐから外部へと出た後、ビームシェイパＢＳを通過することで光束の形状を補正された上で、第１コリメートレンズＣＬ１に入射する。第１コリメートレンズＣＬ１から出射した光束は、光源から出射した光束を記録再生用のメインビームとトラッキングエラー信号検出用のサブビームに分離するための光学手段である回折格子Ｇを通過し、更に偏光ビームスプリッタＰＢＳ及びエキスパンダーレンズＥＸＰを通過する。【０１０４】
エキスパンダーレンズＥＸＰを通過した光束は、ダイクロイックプリズムＤＰを通過し、更に１／４波長板ＱＷＰを通過して、第１の対物レンズＯＢＪ１により集光されて、第１の光ディスクＯＤ１の保護層（厚さｔ１＝０．１〜０．７ｍｍ）を介してその情報記録面に集光されここに集光スポットを形成する。【０１０５】
そして情報記録面で情報ピットにより変調されて反射した光束は、再び第１の対物レンズＯＢＪ１、１／４波長板ＱＷＰ、ダイクロイックプリズムＤＰ、エキスパンダーレンズＥＸＰを通過して、偏光ビームスプリッタＰＢＳで反射され、更にセンサレンズＳＬを介して光検出器ＰＤの受光面に入射するので、その出力信号を用いて、第１の光ディスクＯＤ１に情報記録された情報の読み取り信号が得られる。【０１０６】
また、光検出器ＰＤ上でのスポットの形状変化、位置変化による光量変化を検出して、合焦検出やトラック検出を行う。この検出に基づいて、第１半導体レーザＬＤ１からの光束を第１の光ディスクＯＤ１の情報記録面上に結像するように、第１の対物レンズＯＢＪ１をレンズホルダＨＤごと移動させるように、アクチュエータＡＣＴを駆動する。【０１０７】
第２の光ディスクＯＤ２に対して情報の記録及び／又は再生を行う場合、レンズホルダＨＤを図４に示す位置から回転移動させる。第２半導体レーザＬＤ２（波長λ２＝６００ｎｍ〜７００ｎｍ）から出射された光束は、２レーザ１パッケージ２Ｌ１Ｐから外部へと出た後、ビームシェイパＢＳを通過することで光束の形状を補正された上で、第１コリメートレンズＣＬ１に入射する。第１コリメートレンズＣＬ１から出射した光束は、光源から出射した光束を記録再生用のメインビームとトラッキングエラー信号検出用のサブビームに分離するための光学手段である回折格子Ｇを通過し、更に偏光ビームスプリッタＰＢＳ及びエキスパンダーレンズＥＸＰを通過する。【０１０８】
エキスパンダーレンズＥＸＰを通過した光束は、ダイクロイックプリズムＤＰを通過し、更に１／４波長板ＱＷＰを通過して、第２の対物レンズＯＢＪ２により集光されて、第２の光ディスクＯＤ２の保護層（厚さｔ２＝０．５〜０．７ｍｍ）を介してその情報記録面に集光されここに集光スポットを形成する。【０１０９】
そして情報記録面で情報ピットにより変調されて反射した光束は、再び第２の対物レンズＯＢＪ２、１／４波長板ＱＷＰ、ダイクロイックプリズムＤＰ、エキスパンダーレンズＥＸＰを通過して、偏光ビームスプリッタＰＢＳで反射され、更にセンサレンズＳＬを介して光検出器ＰＤの受光面に入射するので、その出力信号を用いて、第２の光ディスクＯＤ２に情報記録された情報の読み取り信号が得られる。【０１１０】
また、光検出器ＰＤ上でのスポットの形状変化、位置変化による光量変化を検出して、合焦検出やトラック検出を行う。この検出に基づいて、第２半導体レーザＬＤ２からの光束を第２の光ディスクＯＤ２の情報記録面上に結像するように、第２の対物レンズＯＢＪ２をレンズホルダＨＤごと移動させるように、アクチュエータＡＣＴを駆動する。【０１１１】
第３半導体レーザＬＤ３はホログラムレーザであり、光源であるレーザチップＬＣと光検出器ＰＤ３がパッケージ化されている。第３の光ディスクＯＤ３に対して情報の記録及び／又は再生を行う場合について説明する。第３半導体レーザＬＤ３（波長λ３＝７００ｎｍ〜８００ｎｍ）のレーザチップＬＣから出射された光束は、第２コリメートレンズＣＬ２を通過して発散角を変更された後、ダイクロイックプリズムＤＰで反射された後、第２の対物レンズＯＢＪ２により集光されて、第３の光ディスクＯＤ３の保護層（厚さｔ３＝１．１〜１．３ｍｍ）を介してその情報記録面に集光されここに集光スポットを形成する。【０１１２】
そして情報記録面で情報ピットにより変調されて反射した光束は、再び第２の対物レンズＯＢＪ２、１／４波長板ＱＷＰを通過し、ダイクロイックプリズムＤＰで反射され、更に第２コリメートレンズＣＬ２により集光されて第３半導体レーザＬＤ３内の光検出器ＰＤ３の受光面に入射するので、その出力信号を用いて、第３の光ディスクＯＤ３に情報記録された情報の読み取り信号が得られる。【０１１３】
また、第３光検出器ＰＤ３上でのスポットの形状変化、位置変化による光量変化を検出して、合焦検出やトラック検出を行う。この検出に基づいて、第３半導体レーザＬＤ３からの光束を第３の光ディスクＯＤ３の情報記録面上に結像するように、第２の対物レンズＯＢＪ２をレンズホルダＨＤごと移動させるように、アクチュエータＡＣＴを駆動する。【０１１４】
本実施の形態においては、第１半導体レーザＬＤ１と第２半導体レーザＬＤ２とに２レーザ１パッケージを使用しているので、これらは独立して光源位置を調整できないことになる。従って、光ピックアップ装置の組立時には、上述した（１）〜（６）の調整を行えばよい。【０１１５】
かかる調整により、各半導体レーザから照射された光束を集光させたときにスポット光のコマ収差を極力抑えることができるが、本実施の形態では、実際の情報記録又は再生時に、光検出器からの信号に応じて相対傾き変更手段を駆動することで、光ディスクの反りに起因したコマ収差や、残存する誤差に起因したコマ収差を補正するようにしている。但し、組立時にコマ収差を調整することによって、実動作時における相対傾き変更手段の負担を軽減させることができ、コスト削減、小型化、省エネが達成できる。【０１１６】
しかも、対物レンズを第１半導体レーザ専用と、第２半導体レーザ及び第３半導体レーザの共用と、２つ設けているため、各々の波長に対応した光ディスクに対する結像性能の光学設計的余裕が生じる。これは、特にレンズ厚や作動距離（ワーキングディスタンス）を小さくすることが設計的に可能となり薄型の光ピックアップ装置を設計する上で効果的である。また対物レンズ固有の収差マージンが大きくなるため、光ピックアップ装置の他の光学部品の収差を緩和することができる。また光ピックアップ装置の構成部品に高い機械的精度を要求することなく量産性に優れたものを設計することが可能で、光ピックアップ装置のコスト低減を図ることができる。【０１１７】
図５は、高密度ＤＶＤ（第１の光ディスクともいう）、従来のＤＶＤ（第２の光ディスクともいう）及びＣＤ（第３の光ディスクともいう）の全てに対して情報の記録／再生を行える、第３の実施の形態にかかる光ピックアップ装置の概略断面図である。本実施の形態においては、第２半導体レーザＬＤ２と、第３半導体レーザＬＤ３とが、同一の筐体内に収納された、いわゆる２レーザ１パッケージ２Ｌ１Ｐとなっている。【０１１８】
レンズホルダＨＤに対する２つの対物レンズの支持態様は、上述した実施の形態と同様である（図３参照）。図５に示すように、レンズホルダＨＤは、アクチュエータＡＣＴにより少なくとも２次元的に可動に支持されている。【０１１９】
第１の光ディスクＯＤ１に対して情報の記録及び／又は再生を行う場合、図５において、第１の光源としての第１半導体レーザＬＤ１（波長λ１＝３８０ｎｍ〜４５０ｎｍ）から出射された光束は、ビームシェイパＢＳを通過することで光束の形状を補正された上で、第１コリメートレンズＣＬ１に入射する。第１コリメートレンズＣＬ１から出射した光束は、光源から出射した光束を記録再生用のメインビームとトラッキングエラー信号検出用のサブビームに分離するための光学手段である第１の回折格子Ｇ１を通過し、更に第１偏光ビームスプリッタＰＢＳ１及びエキスパンダーレンズＥＸＰを通過する。【０１２０】
エキスパンダーレンズＥＸＰを通過した光束は、第１の１／４波長板ＱＷＰ１を通過して、第１の対物レンズＯＢＪ１により集光されて、第１の光ディスクＯＤ１の保護層（厚さｔ１＝０．１〜０．７ｍｍ）を介してその情報記録面に集光されここに集光スポットを形成する。【０１２１】
そして情報記録面で情報ピットにより変調されて反射した光束は、再び第１の対物レンズＯＢＪ１、第１の１／４波長板ＱＷＰ１、エキスパンダーレンズＥＸＰを通過して、第１偏光ビームスプリッタＰＢＳ１で反射され、更に第１センサレンズＳＬ１を介して第１光検出器ＰＤ１の受光面に入射するので、その出力信号を用いて、第１の光ディスクＯＤ１に情報記録された情報の読み取り信号が得られる。【０１２２】
また、第１光検出器ＰＤ１上でのスポットの形状変化、位置変化による光量変化を検出して、合焦検出やトラック検出を行う。この検出に基づいて、第１半導体レーザＬＤ１からの光束を第１の光ディスクＯＤ１の情報記録面上に結像するように、第１の対物レンズＯＢＪ１をレンズホルダＨＤごと移動させるように、アクチュエータＡＣＴを駆動する。【０１２３】
第２の光ディスクＯＤ２に対して情報の記録及び／又は再生を行う場合、第２半導体レーザＬＤ２（波長λ２＝６００ｎｍ〜７００ｎｍ）から出射された光束は、２レーザ１パッケージ２Ｌ１Ｐから外部へと出た後、第２コリメートレンズＣＬ２に入射する。第２コリメートレンズＣＬ２から出射した光束は、第２回折格子Ｇ２を通過し、更に第２偏光ビームスプリッタＰＢＳ２を通過する。【０１２４】
第２偏光ビームスプリッタＰＢＳ２を通過した光束は、第２の１／４波長板ＱＷＰ２を通過して、第２の対物レンズＯＢＪ２により集光されて、第２の光ディスクＯＤ２の保護層（厚さｔ２＝０．５〜０．７ｍｍ）を介してその情報記録面に集光されここに集光スポットを形成する。【０１２５】
そして情報記録面で情報ピットにより変調されて反射した光束は、再び第２の対物レンズＯＢＪ２、第２の１／４波長板ＱＷＰ２を通過し、第２偏光ビームスプリッタＰＢＳ２で反射され、更に第２センサレンズＳＬ２を介して第２光検出器ＰＤ２の受光面に入射するので、その出力信号を用いて、第２の光ディスクＯＤ２に情報記録された情報の読み取り信号が得られる。【０１２６】
また、第２光検出器ＰＤ２上でのスポットの形状変化、位置変化による光量変化を検出して、合焦検出やトラック検出を行う。この検出に基づいて、第２半導体レーザＬＤ２からの光束を第２の光ディスクＯＤ２の情報記録面上に結像するように、第２の対物レンズＯＢＪ２をレンズホルダＨＤごと移動させるように、アクチュエータＡＣＴを駆動する。【０１２７】
第３の光ディスクＯＤ３に対して情報の記録及び／又は再生を行う場合、第３半導体レーザＬＤ３（波長λ３＝７００ｎｍ〜８００ｎｍ）から出射された光束は、２レーザ１パッケージ２Ｌ１Ｐから外部へと出た後、第２コリメートレンズＣＬ２に入射する。第２コリメートレンズＣＬ２から出射した光束は、第２回折格子Ｇ２を通過し、更に第２偏光ビームスプリッタＰＢＳ２を通過する。【０１２８】
第２偏光ビームスプリッタＰＢＳ２を通過した光束は、第２の１／４波長板ＱＷＰ２を通過して、第２の対物レンズＯＢＪ２により集光されて、第３の光ディスクＯＤ３の保護層（厚さｔ３＝１．１〜１．３ｍｍ）を介してその情報記録面に集光されここに集光スポットを形成する。【０１２９】
そして情報記録面で情報ピットにより変調されて反射した光束は、再び第２の対物レンズＯＢＪ２、第２の１／４波長板ＱＷＰ２を通過し、第２偏光ビームスプリッタＰＢＳ２で反射され、更に第２センサレンズＳＬ２を介して第２光検出器ＰＤ２の受光面に入射するので、その出力信号を用いて、第３の光ディスクＯＤ３に情報記録された情報の読み取り信号が得られる。【０１３０】
また、第２光検出器ＰＤ２上でのスポットの形状変化、位置変化による光量変化を検出して、合焦検出やトラック検出を行う。この検出に基づいて、第２半導体レーザＬＤ２からの光束を第２の光ディスクＯＤ２の情報記録面上に結像するように、第２の対物レンズＯＢＪ２をレンズホルダＨＤごと移動させるように、アクチュエータＡＣＴを駆動する。【０１３１】
本実施の形態においては、第２半導体レーザＬＤ２と第３半導体レーザＬＤ３とに２レーザ１パッケージを使用しているので、これらは独立して光源位置を調整できないことになる。従って、光ピックアップ装置の組立時には、上述した（１）〜（３）、（５）〜（７）の調整を行えばよい。尚、２レーザ１パッケージのように２つの半導体レーザが同一筐体にパッケージされた場合、発光源の間隔が１００μｍ程度であることもあるが、この間隔が１５０μｍ程度以下であれば、第１の対物レンズＯＢＪ２に入射する両光束の傾きは１度程度以内に収まるため、光軸に対して傾斜の大きい光束に像高優先設計の第２の対物レンズＯＢＪ２を適用することにより、両光束とも良好な結像スポットとすることができる。特に、両光束に対して像高優先設計の対物レンズが対応する場合（１）、（５）の調整はより短波長の光束（第２半導体レーザＬＤ２からの光束）を光軸に近づけるようにすることが好ましい。【０１３２】
かかる調整により、各半導体レーザから照射された光束を集光させたときにスポット光のコマ収差を極力抑えることができるが、本実施の形態では、実際の情報記録又は再生時に、光検出器からの信号に応じて相対傾き変更手段を駆動することで、光ディスクの反りに起因したコマ収差や、残存する誤差に起因したコマ収差を補正するようにしている。但し、組立時にコマ収差を調整することによって、実動作時における相対傾き変更手段の負担を軽減させることができ、コスト削減、小型化、省エネが達成できる。【０１３３】
しかも、対物レンズを第１半導体レーザ専用と、第２半導体レーザ及び第３半導体レーザの共用と、２つ設けているため、各々の波長に対応した光ディスクに対する結像性能の光学設計的余裕が生じる。これは、特にレンズ厚や作動距離（ワーキングディスタンス）を小さくすることが設計的に可能となり薄型の光ピックアップ装置を設計する上で効果的である。また対物レンズ固有の収差マージンが大きくなるため、光ピックアップ装置の他の光学部品の収差を緩和することができる。また光ピックアップ装置の構成部品に高い機械的精度を要求することなく量産性に優れたものを設計することが可能で、光ピックアップ装置のコスト低減を図ることができる。【０１３４】
図６は、高密度ＤＶＤ（第１の光ディスクともいう）、従来のＤＶＤ（第２の光ディスクともいう）及びＣＤ（第３の光ディスクともいう）の全てに対して情報の記録／再生を行える、第４の実施の形態にかかる光ピックアップ装置の概略断面図である。本実施の形態においては、第２半導体レーザＬＤ２と、第３半導体レーザＬＤ３とが、同一の筐体内に収納された、いわゆる２レーザ１パッケージ２Ｌ１Ｐとなっている。【０１３５】
レンズホルダＨＤに対する２つの対物レンズの支持態様は、上述した実施の形態と同様である（図３参照）。図６に示すように、レンズホルダＨＤは、アクチュエータＡＣＴにより少なくとも２次元的に可動に支持されている。【０１３６】
第１の光ディスクＯＤ１に対して情報の記録及び／又は再生を行う場合、図６において、第１の光源としての第１半導体レーザＬＤ１（波長λ１＝３８０ｎｍ〜４５０ｎｍ）から出射された光束は、ビームシェイパＢＳを通過することで光束の形状を補正された上で、第１コリメートレンズＣＬ１に入射する。第１コリメートレンズＣＬ１から出射した光束は、光源から出射した光束を記録再生用のメインビームとトラッキングエラー信号検出用のサブビームに分離するための光学手段である第１の回折格子Ｇ１を通過し、更に第１偏光ビームスプリッタＰＢＳ１及びエキスパンダーレンズＥＸＰを通過する。【０１３７】
エキスパンダーレンズＥＸＰを通過した光束は、第１の１／４波長板ＱＷＰ１を通過して、第１の対物レンズＯＢＪ１により集光されて、第１の光ディスクＯＤ１の保護層（厚さｔ１＝０．１〜０．７ｍｍ）を介してその情報記録面に集光されここに集光スポットを形成する。【０１３８】
そして情報記録面で情報ピットにより変調されて反射した光束は、再び第１の対物レンズＯＢＪ１、第１の１／４波長板ＱＷＰ１、エキスパンダーレンズＥＸＰを通過して、第１偏光ビームスプリッタＰＢＳ１で反射され、更に第１センサレンズＳＬ１を介して第１光検出器ＰＤ１の受光面に入射するので、その出力信号を用いて、第１の光ディスクＯＤ１に情報記録された情報の読み取り信号が得られる。【０１３９】
また、第１光検出器ＰＤ１上でのスポットの形状変化、位置変化による光量変化を検出して、合焦検出やトラック検出を行う。この検出に基づいて、第１半導体レーザＬＤ１からの光束を第１の光ディスクＯＤ１の情報記録面上に結像するように、第１の対物レンズＯＢＪ１をレンズホルダＨＤごと移動させるように、アクチュエータＡＣＴを駆動する。【０１４０】
第２の光ディスクＯＤ２に対して情報の記録及び／又は再生を行う場合、第２半導体レーザＬＤ２（波長λ２＝６００ｎｍ〜７００ｎｍ）から出射された光束は、２レーザ１パッケージ２Ｌ１Ｐから外部へと出た後、回折素子ＤＥを通過し、第２コリメートレンズＣＬ２に入射する。第２コリメートレンズＣＬ２から出射した光束は、第２回折格子Ｇ２を通過し、更に第２偏光ビームスプリッタＰＢＳ２を通過する。【０１４１】
第２偏光ビームスプリッタＰＢＳ２を通過した光束は、第２の１／４波長板ＱＷＰ２を通過して、第２の対物レンズＯＢＪ２により集光されて、第２の光ディスクＯＤ２の保護層（厚さｔ２＝０．５〜０．７ｍｍ）を介してその情報記録面に集光されここに集光スポットを形成する。【０１４２】
そして情報記録面で情報ピットにより変調されて反射した光束は、再び第２の対物レンズＯＢＪ２、第２の１／４波長板ＱＷＰ２を通過し、第２偏光ビームスプリッタ（分離手段ともいう）ＰＢＳ２で反射され、更に第２センサレンズＳＬ２を介した後、光軸補正素子ＳＥを通過して第２光検出器ＰＤ２の受光面に入射するので、その出力信号を用いて、第２の光ディスクＯＤ２に情報記録された情報の読み取り信号が得られる。【０１４３】
また、第２光検出器ＰＤ２上でのスポットの形状変化、位置変化による光量変化を検出して、合焦検出やトラック検出を行う。この検出に基づいて、第２半導体レーザＬＤ２からの光束を第２の光ディスクＯＤ２の情報記録面上に結像するように、第２の対物レンズＯＢＪ２をレンズホルダＨＤごと移動させるように、アクチュエータＡＣＴを駆動する。【０１４４】
第３の光ディスクＯＤ３に対して情報の記録及び／又は再生を行う場合、第３半導体レーザＬＤ３（波長λ３＝７００ｎｍ〜８００ｎｍ）から出射された光束は、２レーザ１パッケージ２Ｌ１Ｐから外部へと出た後、回折素子ＤＥを通過し、第２コリメートレンズＣＬ２に入射する。第２コリメートレンズＣＬ２から出射した光束は、第２回折格子Ｇ２を通過し、更に第２偏光ビームスプリッタＰＢＳ２を通過する。【０１４５】
第２偏光ビームスプリッタＰＢＳ２を通過した光束は、第２の１／４波長板ＱＷＰ２を通過して、第２の対物レンズＯＢＪ２により集光されて、第３の光ディスクＯＤ３の保護層（厚さｔ３＝１．１〜１．３ｍｍ）を介してその情報記録面に集光されここに集光スポットを形成する。【０１４６】
そして情報記録面で情報ピットにより変調されて反射した光束は、再び第２の対物レンズＯＢＪ２、第２の１／４波長板ＱＷＰ２を通過し、第２偏光ビームスプリッタＰＢＳ２で反射され、更に第２センサレンズＳＬ２を介した後、光軸補正素子ＳＥを通過して第２光検出器ＰＤ２の受光面に入射するので、その出力信号を用いて、第３の光ディスクＯＤ３に情報記録された情報の読み取り信号が得られる。【０１４７】
また、第２光検出器ＰＤ２上でのスポットの形状変化、位置変化による光量変化を検出して、合焦検出やトラック検出を行う。この検出に基づいて、第２半導体レーザＬＤ２からの光束を第２の光ディスクＯＤ２の情報記録面上に結像するように、第２の対物レンズＯＢＪ２をレンズホルダＨＤごと移動させるように、アクチュエータＡＣＴを駆動する。【０１４８】
本実施の形態においては、第２半導体レーザＬＤ２と第３半導体レーザＬＤ３とに２レーザ１パッケージを使用しているので、これらは独立して光源位置を調整できないことになる。しかしながら、２レーザ１パッケージ２Ｌ１Ｐを出た光束は、回折素子ＤＥに入射し、ここでコマ収差補正を行える。補正量は、回折素子ＤＥの回転量に応じて変化する。従って、光ピックアップ装置の組立時には、第３半導体レーザＬＤ３のシフト調整を行う場合、上述した（２）、（４）、（６）、（８）の調整時に、第３半導体レーザＬＤ３を光軸直交方向に移動させる代わりに、回折素子ＤＥを適宜回転させることで、シフト調整処理がなされることとなる。尚、光軸補正素子ＳＥは、上述の回折素子ＤＥを用いたシフト調整を行った結果、第２光検出器ＰＤ２の受光面における、半導体レーザＬＤ２、ＬＤ３の両光束のスポット光のズレを補正するように、その位置を調整する。【０１４９】
更に、本実施の形態においては、第２半導体レーザＬＤ２と第３半導体レーザＬＤ３とに２レーザ１パッケージを使用しているので、両光源の間隔が大きい（例えば１００μｍ以上）と、像高優先設計に対応する光路の光軸の傾きが大きくなる可能性がある。ここでトラッキングエラー検出のために、両波長の光束を３ビームに分割して第２光検出器ＰＤ２で検出する場合、傾角優先設計側もある程度像高を考慮する必要があり、そのとき像高優先側の正弦条件は多少不満足とする必要がある。よって、像高優先設計側の波長に対する光軸の傾きが大きいとコマ収差が生じてしまい、これを補正するには（３）〜（７）の調整を繰り返し行う必要があり、コストアップとなる。また、分割された３ビームのうち、一対のサブビームの光軸が対物レンズの光軸に対してアンバランスとなるため、両サブビームスポットの品質が異なってしまう可能性がある。そこで、回折素子ＤＥを用いることで、第２半導体レーザＬＤ２の光束と、第３半導体レーザＬＤ３の光束の発光点を見かけ上近づけるように補正できるので、上述した問題を解決することができる。【０１５０】
かかる調整により、各半導体レーザから照射された光束を集光させたときにスポット光のコマ収差を極力抑えることができるが、本実施の形態では、実際の情報記録又は再生時に、光検出器からの信号に応じて相対傾き変更手段を駆動することで、光ディスクの反りに起因したコマ収差や、残存する誤差に起因したコマ収差を補正するようにしている。但し、組立時にコマ収差を調整することによって、実動作時における相対傾き変更手段の負担を軽減させることができ、コスト削減、小型化、省エネが達成できる。【０１５１】
しかも、対物レンズを第１半導体レーザ専用と、第２半導体レーザ及び第３半導体レーザの共用と、２つ設けているため、各々の波長に対応した光ディスクに対する結像性能の光学設計的余裕が生じる。これは、特にレンズ厚や作動距離（ワーキングディスタンス）を小さくすることが設計的に可能となり薄型の光ピックアップ装置を設計する上で効果的である。また対物レンズ固有の収差マージンが大きくなるため、光ピックアップ装置の他の光学部品の収差を緩和することができる。また光ピックアップ装置の構成部品に高い機械的精度を要求することなく量産性に優れたものを設計することが可能で、光ピックアップ装置のコスト低減を図ることができる。【０１５２】
図７は、高密度ＤＶＤ（第１の光ディスクともいう）、従来のＤＶＤ（第２の光ディスクともいう）及びＣＤ（第３の光ディスクともいう）の全てに対して情報の記録／再生を行える、第５の実施の形態にかかる光ピックアップ装置の概略断面図である。【０１５３】
レンズホルダＨＤに対する２つの対物レンズの支持態様は、上述した実施の形態と同様である（図３参照）。図７に示すように、レンズホルダＨＤは、アクチュエータＡＣＴにより少なくとも２次元的に可動に支持されている。【０１５４】
第１の光ディスクＯＤ１に対して情報の記録及び／又は再生を行う場合、図７において、第１の光源としての第１半導体レーザＬＤ１（波長λ１＝３８０ｎｍ〜４５０ｎｍ）から出射された光束は、ビームシェイパＢＳを通過することで光束の形状を補正された上で、第１コリメートレンズＣＬ１に入射する。第１コリメートレンズＣＬ１から出射した光束は、光源から出射した光束を記録再生用のメインビームとトラッキングエラー信号検出用のサブビームに分離するための光学手段である第１回折格子Ｇ１を通過し、更に第１偏光ビームスプリッタＰＢＳ１及びエキスパンダーレンズＥＸＰを通過する。【０１５５】
エキスパンダーレンズＥＸＰを通過した光束は、第１の１／４波長板ＱＷＰ１を通過して、第１の対物レンズＯＢＪ１により集光されて、第１の光ディスクＯＤ１の保護層（厚さｔ１＝０．１〜０．７ｍｍ）を介してその情報記録面に集光されここに集光スポットを形成する。【０１５６】
そして情報記録面で情報ピットにより変調されて反射した光束は、再び第１の対物レンズＯＢＪ１、第１の１／４波長板ＱＷＰ１、エキスパンダーレンズＥＸＰを通過して、第１偏光ビームスプリッタＰＢＳ１で反射され、更に第１センサレンズＳＬ１を介して第１光検出器ＰＤ１の受光面に入射するので、その出力信号を用いて、第１の光ディスクＯＤ１に情報記録された情報の読み取り信号が得られる。【０１５７】
また、第１光検出器ＰＤ１上でのスポットの形状変化、位置変化による光量変化を検出して、合焦検出やトラック検出を行う。この検出に基づいて、第１半導体レーザＬＤ１からの光束を第１の光ディスクＯＤ１の情報記録面上に結像するように、第１の対物レンズＯＢＪ１をレンズホルダＨＤごと移動させるように、アクチュエータＡＣＴを駆動する。【０１５８】
第２の光ディスクＯＤ２に対して情報の記録及び／又は再生を行う場合、第２半導体レーザＬＤ２（波長λ２＝６００ｎｍ〜７００ｎｍ）から出射された光束は、ダイクロイックプリズムＤＰを通過し、第２コリメートレンズＣＬ２に入射する。第２コリメートレンズＣＬ２から出射した光束は、第２回折格子Ｇ２を通過し、更に第２偏光ビームスプリッタＰＢＳ２を通過する。【０１５９】
第２偏光ビームスプリッタＰＢＳ２を通過した光束は、第２の１／４波長板ＱＷＰ２を通過して、第２の対物レンズＯＢＪ２により集光されて、第２の光ディスクＯＤ２の保護層（厚さｔ２＝０．５〜０．７ｍｍ）を介してその情報記録面に集光されここに集光スポットを形成する。【０１６０】
そして情報記録面で情報ピットにより変調されて反射した光束は、再び第２の対物レンズＯＢＪ２、第２の１／４波長板ＱＷＰ２を通過し、第２偏光ビームスプリッタ（分離手段ともいう）ＰＢＳ２で反射され、更に第２センサレンズＳＬ２を介した後、光軸補正素子ＳＥを通過して第２光検出器ＰＤ２の受光面に入射するので、その出力信号を用いて、第２の光ディスクＯＤ２に情報記録された情報の読み取り信号が得られる。尚、光軸補正素子ＳＥは、第２半導体レーザＬＤ２と、第３半導体レーザＬＤ３の少なくとも一方に対してシフト処理を行った場合に発生する光軸ずれを補正することにより、いずれから照射された光束も、第２光検出器ＰＤ２の受光面の最適位置に集光させるように機能するものである。【０１６１】
また、第２光検出器ＰＤ２上でのスポットの形状変化、位置変化による光量変化を検出して、合焦検出やトラック検出を行う。この検出に基づいて、第２半導体レーザＬＤ２からの光束を第２の光ディスクＯＤ２の情報記録面上に結像するように、第２の対物レンズＯＢＪ２をレンズホルダＨＤごと移動させるように、アクチュエータＡＣＴを駆動する。【０１６２】
第３の光ディスクＯＤ３に対して情報の記録及び／又は再生を行う場合、第３半導体レーザＬＤ３（波長λ３＝７００ｎｍ〜８００ｎｍ）から出射された光束は、第２ダイクロイックプリズムＤＰ２で反射され、第２コリメートレンズＣＬ２に入射する。第２コリメートレンズＣＬ２から出射した光束は、ダイクロイックプリズムＤＰで反射され、第２回折格子Ｇ２を通過し、更に第２偏光ビームスプリッタＰＢＳ２を通過する。【０１６３】
第２偏光ビームスプリッタＰＢＳ２を通過した光束は、第２の１／４波長板ＱＷＰ２を通過して、第２の対物レンズＯＢＪ２により集光されて、第３の光ディスクＯＤ３の保護層（厚さｔ３＝１．１〜１．３ｍｍ）を介してその情報記録面に集光されここに集光スポットを形成する。【０１６４】
そして情報記録面で情報ピットにより変調されて反射した光束は、再び第２の対物レンズＯＢＪ２、第２の１／４波長板ＱＷＰ２を通過し、第２偏光ビームスプリッタＰＢＳ２で反射され、更に第２センサレンズＳＬ２を介した後、光軸補正素子ＳＥを通過して第２光検出器ＰＤ２の受光面に入射するので、その出力信号を用いて、第３の光ディスクＯＤ３に情報記録された情報の読み取り信号が得られる。【０１６５】
また、第２光検出器ＰＤ２上でのスポットの形状変化、位置変化による光量変化を検出して、合焦検出やトラック検出を行う。この検出に基づいて、第２半導体レーザＬＤ２からの光束を第２の光ディスクＯＤ２の情報記録面上に結像するように、第２の対物レンズＯＢＪ２をレンズホルダＨＤごと移動させるように、アクチュエータＡＣＴを駆動する。【０１６６】
本実施の形態の光ピックアップ装置の組立時においては、上述した（１）〜（８）の調整を行えばよい。【０１６７】
かかる調整により、各半導体レーザから照射された光束を集光させたときにスポット光のコマ収差を極力抑えることができるが、本実施の形態では、実際の情報記録又は再生時に、光検出器からの信号に応じて相対傾き変更手段を駆動することで、光ディスクの反りに起因したコマ収差や、残存する誤差に起因したコマ収差を補正するようにしている。但し、組立時にコマ収差を調整することによって、実動作時における相対傾き変更手段の負担を軽減させることができ、コスト削減、小型化、省エネが達成できる。【０１６８】
しかも、対物レンズを第１半導体レーザ専用と、第２半導体レーザ及び第３半導体レーザの共用と、２つ設けているため、各々の波長に対応した光ディスクに対する結像性能の光学設計的余裕が生じる。これは、特にレンズ厚や作動距離（ワーキングディスタンス）を小さくすることが設計的に可能となり薄型の光ピックアップ装置を設計する上で効果的である。また対物レンズ固有の収差マージンが大きくなるため、光ピックアップ装置の他の光学部品の収差を緩和することができる。また光ピックアップ装置の構成部品に高い機械的精度を要求することなく量産性に優れたものを設計することが可能で、光ピックアップ装置のコスト低減を図ることができる。【０１６９】
図８は、２レーザ１パッケージの光源と回折素子とを保持する２つの例を示す断面図であり、２レーザ１パッケージの光源と回折素子とを用いる上述した実施の形態に適用できる。図８（ａ）において、略中空円筒状の保持枠ＨＦの下面の座繰り部ＨＦａに２レーザ１パッケージ２Ｌ１Ｐが取り付けられ、その上面の座繰り部ＨＦｂに回折素子ＤＥが取り付けられる。尚、回折素子ＤＥは、組み付け時に座繰り部ＨＦｂ内で適宜回転された後、接着剤で固定されると好ましい。【０１７０】
図８（ｂ）において、略中空円筒状の保持枠ＨＦの下面の座繰り部ＨＦａに２レーザ１パッケージ２Ｌ１Ｐが取り付けられ、その上面の座繰り部ＨＦｂに、環状の支持部Ｒを介して回折素子ＤＥが取り付けられる。尚、回折素子ＤＥは、組み付け時に座繰り部ＨＦｂ内で適宜回転された後、接着剤で固定されると好ましい。【０１７１】
図９は、レンズホルダの変形例を示す図３と同様な断面図である。図３に示す実施の形態に対して、本変形例においては、開口ＨＤｂの図で上面の座繰り部ＨＤｄの内周面と、対物レンズＯＢＪ２のフランジＦＬ２が当接しておらず、対物レンズＯＢＪ２のレンズホルダＨＤに対する傾きを調整した後に、両者を接着剤Ｂで接着している点が異なる。より具体的には、レンズホルダＨＤに対して非接触の状態で、不図示の治具で対物レンズＯＢＪ２を把持しつつ傾き調整を行い、調整後に対物レンズＯＢＪ２のフランジＦＬ２と、レンズホルダＨＤの座繰り部ＨＤｄとの間の空間に、接着剤Ｂを充填する。それ以外については共通するので、説明を省略する。【０１７２】
図１０は、対物レンズを把持する治具とレンズホルダの別な変形例とを示す図であり、図１０（ａ）はその上面図、図１０（ｂ）は、図１０（ａ）の構成をＢ−Ｂ線に沿って切断して矢印方向に見た図であり、図１０（ｃ）は、図１０（ａ）の構成をＣ−Ｃ線に沿って切断して矢印方向に見た図である。【０１７３】
本変形例においては、レンズホルダＨＤの上面に、その長手方向を横切るようにして開口ＨＤｂにつながる溝（凹部）ＨＤｇが形成されている。対物レンズＯＢＪ２を把持する治具Ｊは、対向する一対のアームＪＡ、ＪＢからなる。アームＪＡ、ＪＢは、それぞれ先端から奥に向かうにつれて幅が狭くなるテーパ支持部ＪＡａ、ＪＢａを有している。それ以外については共通するので、説明を省略する。【０１７４】
傾き調整時に、テーパ支持部ＪＡａ、ＪＢａにより対物レンズＯＢＪ２のフランジＦＬ２を把持した治具Ｊは、レンズホルダＨＤの上方（図１０（ｂ）の上方）から、開口ＨＤｂに接近する。このとき、溝ＨＤｇが設けられているので、治具ＪとレンズホルダＨＤとの干渉が回避される。【０１７５】
図１０（ｃ）に示す位置まで治具Ｊを下降させた後、対物レンズＯＢＪ２の傾き調整を行い、調整後に対物レンズＯＢＪ２のフランジＦＬ２と、レンズホルダＨＤの座繰り部ＨＤｄとの間に、接着剤（不図示）を充填する。接着剤が固化した後に、アームＪＡ、ＪＢを離隔する方向に移動させることで、対物レンズＯＢＪ２の把持を終了する。
【産業上の利用可能性】
【０１７６】
以上述べたように、本実施の形態にかかる光ピックアップ装置の組立方法によれば、第１〜第３半導体レーザから出射されるそれぞれの光束に対して、コマ調整が最適化されているため、傾き変更機構を動作させることで、調整後の実動作時において使用ディスクにチルトのバラツキが生じても精度の高いコマ収差抑制が可能となる。また調整時のコマ調整の最適化により、傾き変更機構にコマ抑制機能の負担を軽減させることができるため、傾き変更機構やその駆動回路などの作成が容易になり、コスト削減、小型化が達成できる。【０１７７】
以上、本発明を実施の形態を参照して説明してきたが、本発明は上記実施の形態に限定して解釈されるべきではなく、適宜変更・改良が可能であることはもちろんである。
【図１】
0004743118.tif 000002
【図２】
0004743118.tif 000003
【図３】
0004743118.tif 000004
【図４】
0004743118.tif 000005
【図５】
0004743118.tif 000006
【図６】
0004743118.tif 000007
【図７】
0004743118.tif 000008
【図８】
0004743118.tif 000009
【図９】
0004743118.tif 000010
【図１０】
0004743118.tif 000011
【図１１】
0004743118.tif 000012
【図１２】
0004743118.tif 000013
【図１３】
0004743118.tif 000014
【図１４】
0004743118.tif 000015